(57)【要約】  探触子の詳細な動きに応じて超音波診断装置に指令を与えることを目的とする。超音波診断装置は、被検体１８で反射し探触子１４で受信された超音波に基づく受信信号を生成する受信部２０と、受信信号に基づいて被検体１８上の探触子１４が静止したか否かを判定する静止判定部３８と、探触子１４が静止した旨の静止判定がされる度に、静止判定がされたときから所定時間経過後までの受付期間を設定する期間設定部５５と、受信信号に基づいて探触子１４の動きを検出する動き検出部３０と、受付期間内に探触子１４の動きが検出されたときに、探触子１４の動きに対応する指令を超音波診断装置に与える指令生成部５０とを備える。
2017006691.tif 000002
【特許請求の範囲】
【請求項１】
超音波診断装置において、
被検体で反射し探触子で受信された超音波に基づく受信信号を生成する受信部と、
前記受信信号に基づいて前記被検体上の前記探触子が静止したか否かを判定する静止判定部と、
前記探触子が静止した旨の静止判定がされる度に、前記静止判定がされたときから所定時間経過後までの受付期間を設定する受付期間設定部と、
前記受信信号に基づいて前記探触子の動きを検出する動き検出部と、
前記受付期間内に前記探触子につき予め定められた規定の動きが検出されたときに、当該規定の動きに対応する指令を前記超音波診断装置に与える装置制御部と、
を備えることを特徴とする超音波診断装置。
【請求項２】
請求項１に記載の超音波診断装置において、
前記装置制御部は、
前記受付期間外に前記規定の動きが検出されたときは、前記規定の動きに対応する指令を前記超音波診断装置に与えないことを特徴とする超音波診断装置。
【請求項３】
超音波診断装置において、
被検体で反射し探触子で受信された超音波に基づく受信信号を生成する受信部と、
前記受信信号に基づいて前記被検体上の前記探触子が静止したか否かを判定する静止判定部と、
前記探触子が静止した旨の静止判定がされる度に、前記静止判定がされた時間を示すタイムスタンプを記憶するタイムスタンプ記憶部と、
前記受信信号に基づいて前記探触子につき予め定められた規定の動きを検出する動き検出部と、
前記規定の動きが検出されたときから所定時間だけ遡った受付期間の間に、前記静止判定がされたか否かを判定する静止履歴判定部と、を備え、
前記受付期間内に前記静止判定がされていた場合に、前記規定の動きに対応する指令を前記超音波診断装置に与える装置制御部と、
を備えることを特徴とする超音波診断装置。
【請求項４】
請求項１から請求項３のいずれか１項に記載の超音波診断装置において、
前記受信信号に基づいて、前記被検体についてのフレームデータを時間経過と共に順次生成するフレームデータ生成部を備え、
前記静止判定部は、前記フレームデータが生成される度に、前記フレームデータに基づいて前記探触子が静止したか否かを判定し、
前記動き検出部は、前記フレームデータが生成される度に、前記フレームデータに基づいて前記探触子の動きを検出することを特徴とする超音波診断装置。
【請求項５】
請求項１から請求項４のいずれか１項に記載の超音波診断装置において、
前記静止判定がされたときから所定時間だけ遡るまでのデータ選別期間を設定するデータ選別期間設定部を備え、
前記超音波診断装置は、
前記データ選別期間内に前記受信信号に基づき生成されたデータを用いて、前記装置制御部によって与えられた指令を実行することを特徴とする超音波診断装置。
【請求項６】
請求項４に記載の超音波診断装置において、
前記フレームデータが生成される度に、前記フレームデータが生成されたときから所定時間だけ遡るまでのデータ選別期間を設定するデータ選別期間設定部を備え、
前記超音波診断装置は、
前記データ選別期間内に前記受信信号に基づき生成されたデータを用いて、前記装置制御部によって与えられた指令を実行することを特徴とする超音波診断装置。
【請求項７】
請求項１から請求項６のいずれか１項に記載の超音波診断装置において、
前記規定の動きは、前記探触子が前記被検体から離脱する離脱動作であり、
前記動き検出部は、
前記探触子が前記被検体に接触しているか否かを前記受信信号に基づいて判定する接触判定部を備え、
前記装置制御部は、
前記探触子が前記被検体に接触していないとの判定がされたときに、前記探触子の前記被検体からの離脱動作に対応する指令を、前記超音波診断装置に与えることを特徴とする超音波診断装置。
【請求項８】
請求項７に記載の超音波診断装置において、
前記被検体と前記探触子との密着度に基づいて、前記受付期間の長さを調整する期間調整部を備え、
前記期間調整部は、
前記密着度が大きい程、前記受付期間を長くすることを特徴とする超音波診断装置。
【請求項９】
請求項１から請求項６のいずれか１項に記載の超音波診断装置において、
前記規定の動きは、前記探触子が前記被検体に接触した状態で前記探触子が規定の運動をする接触状態運動であり、
前記装置制御部は、
前記接触状態運動が検出されたときに、前記接触状態運動に対応する指令を、前記超音波診断装置に与えることを特徴とする超音波診断装置。
【請求項１０】
請求項９に記載の超音波診断装置において、
前記接触状態運動は、前記被検体に接触した状態での前記探触子の振動または移動であることを特徴とする超音波診断装置。
【請求項１１】
超音波診断装置において、
物体で反射し探触子で受信された超音波に基づく受信信号を生成する受信部と、
前記受信信号に基づいて、前記探触子から見て前記物体が静止したか否かを判定する静止判定部と、
前記物体が静止した旨の静止判定がされる度に、前記静止判定がされたときから所定時間経過後までの受付期間を設定する受付期間設定部と、
前記受信信号に基づいて前記探触子から見た前記物体の動きを検出する動き検出部と、
前記受付期間内に前記探触子から見た前記物体につき予め定められた規定の動きが検出されたときに、当該規定の動きに対応する指令を前記超音波診断装置に与える装置制御部と、
を備えることを特徴とする超音波診断装置。
【請求項１２】
超音波診断装置において、
物体で反射し探触子で受信された超音波に基づく受信信号を生成する受信部と、
前記受信信号に基づいて、前記探触子から見て前記物体が静止したか否かを判定する静止判定部と、
前記物体が静止した旨の静止判定がされる度に、前記静止判定がされた時間を示すタイムスタンプを記憶するタイムスタンプ記憶部と、
前記受信信号に基づいて、前記探触子から見た前記物体につき予め規定された動きを検出する動き検出部と、
前記予め規定された動きが検出されたときから所定時間だけ遡った受付期間の間に、前記静止判定がされたか否かを判定する静止履歴判定部と、を備え、
前記受付期間内に前記静止判定がされていた場合に、前記探触子から見た前記物体の動きに対応する指令を前記超音波診断装置に与える装置制御部と、
を備えることを特徴とする超音波診断装置。
【発明の詳細な説明】
【技術分野】
【０００１】
本発明は、超音波診断装置に関し、特に、探触子の動きに応じて超音波診断装置に指令を与える技術に関する。
【背景技術】
【０００２】
被検体を観測する装置として超音波診断装置が広く用いられている。超音波診断装置は、超音波の送受信によって被検体の断層画像を生成し、モニタに表示する。超音波診断装置では、探触子が被検体の適切な部位に接触することで、被検体の関心部位に対して超音波が送受信され、関心部位の断層画像が表示される。【０００３】
ユーザが超音波診断装置に指令を与え、超音波診断装置に指令を実行させるため、超音波診断装置には、キーボード、スイッチ、マウス、トラックボール等の入力デバイスが設けられている。ユーザは、モニタに表示された画像を参照しながら、被検体の適切な位置に適切な姿勢で探触子を接触させ、入力デバイスを操作して超音波診断装置に指令を与える。【０００４】
モニタを参照しながら探触子の位置決定をし、さらには入力デバイスを操作するという作業に際しては、入力デバイスの操作中に手ぶれ等によって探触子を動かさないことに注意が払われる。このような作業の負担を軽減するため、特許文献１〜４に示されているように、探触子を入力デバイスとして用いることが考えられている。
【先行技術文献】
【特許文献】
【０００５】
【特許文献１】特開２００５−２７９０９６号公報
【特許文献２】特開平９−２３８９４４号公報
【特許文献３】特開２００８−２９５８５９号公報
【特許文献４】国際公開パンフレット２０１４−１１２２４２号公報
【発明の概要】
【発明が解決しようとする課題】
【０００６】
探触子を入力デバイスとして用いる場合、被検体への接触、被検体上での移動、被検体からの離脱等の探触子の動きに対して指令が対応付けられる。特許文献１〜３に記載されている超音波診断装置では、探触子にセンサが設けられ、このセンサによって探触子の動きが検出される。しかし、このような構成では、探触子のハードウエアが複雑となるという問題がある。そこで、特許文献４に記載されているように、受信された超音波に基づくデータの変化に基づいて、探触子の動きを検出する超音波診断装置が考えられている。【０００７】
一般に、探触子を入力デバイスとして用いる場合、探触子の多様な動きのそれぞれに対して指令が対応付けられることで、超音波診断装置の使い易さが向上する。しかし、特許文献４に記載されている超音波診断装置では、探触子の詳細な動きについてまで、指令が対応付けられているとは言い難い面もあった。【０００８】
本発明は、探触子の詳細な動きに応じて超音波診断装置に指令を与えることを目的とする。
【課題を解決するための手段】
【０００９】
本発明は、超音波診断装置において、被検体で反射し探触子で受信された超音波に基づく受信信号を生成する受信部と、前記受信信号に基づいて前記被検体上の前記探触子が静止したか否かを判定する静止判定部と、前記探触子が静止した旨の静止判定がされる度に、前記静止判定がされたときから所定時間経過後までの受付期間を設定する受付期間設定部と、前記受信信号に基づいて前記探触子の動きを検出する動き検出部と、前記受付期間内に前記探触子につき予め定められた規定の動きが検出されたときに、当該規定の動きに対応する指令を前記超音波診断装置に与える装置制御部と、を備えることを特徴とする。【００１０】
本発明によれば、静止判定がされる度に受付期間が設定され、受付期間内に探触子の規定の動きが検出されたときに、その規定の動きに対応する指令が超音波診断装置に与えられる。これによって、例えば、ユーザが探触子を静止させる操作を行うことにより静止判定がされ、静止判定後の受付期間内における探触子に対するユーザの操作によって、超音波診断装置に指令が与えられる。したがって、偶発的な探触子の動きに応じて超音波診断装置に指令が与えられる可能性が低くなる。探触子の規定の動きとしては、例えば、被検体からの探触子の離脱、探触子の振動、被検体に接触しながらの探触子の移動等がある。また、受付期間は、静止判定がされる度に設定される。本発明では、探触子が静止した状態が維持されることで受付期間の終了が先延ばしされるようにしてもよい。【００１１】
望ましくは、前記装置制御部は、前記受付期間外に前記規定の動きが検出されたときは、前記規定の動きに対応する指令を前記超音波診断装置に与えない。【００１２】
本発明によれば、受付期間外に探触子の規定の動きが検出された場合、その動きに対応する指令は、超音波診断装置に与えられない。これによって、受付期間経過後は、探触子の規定の動きが超音波診断装置に対する指令として受け入れられない。【００１３】
また、本発明は、超音波診断装置において、被検体で反射し探触子で受信された超音波に基づく受信信号を生成する受信部と、前記受信信号に基づいて前記被検体上の前記探触子が静止したか否かを判定する静止判定部と、前記探触子が静止した旨の静止判定がされる度に、前記静止判定がされた時間を示すタイムスタンプを記憶するタイムスタンプ記憶部と、前記受信信号に基づいて前記探触子につき予め定められた規定の動きを検出する動き検出部と、前記規定の動きが検出されたときから所定時間だけ遡った受付期間の間に、前記静止判定がされたか否かを判定する静止履歴判定部と、を備え、前記受付期間内に前記静止判定がされていた場合に、前記規定の動きに対応する指令を前記超音波診断装置に与える装置制御部と、を備えることを特徴とする。【００１４】
本発明によれば、探触子につき予め定められた規定の動きが検出されたときから所定時間だけ遡った受付期間の間に静止判定がされていたときは、その規定の動きに対応する指令が超音波診断装置に与えられる。これによって、例えば、ユーザが探触子を静止させる操作を行うことにより静止判定がされ、静止判定時から受付期間に相当する時間が経過するまでの間における探触子に対するユーザの操作によって、超音波診断装置に指令が与えられる。【００１５】
望ましくは、前記受信信号に基づいて、前記被検体についてのフレームデータを時間経過と共に順次生成するフレームデータ生成部を備え、前記静止判定部は、前記フレームデータが生成される度に、前記フレームデータに基づいて前記探触子が静止したか否かを判定し、前記動き検出部は、前記フレームデータが生成される度に、前記フレームデータに基づいて前記探触子の動きを検出する。【００１６】
本発明によれば、フレームデータが生成される度に探触子が静止したか否かが判定され、フレームデータに基づいて探触子の動きが検出される。したがって、フレームデータを生成する超音波診断装置において、本発明を容易に実施することができる。フレームデータは、例えば、Ｂモード動作によって生成される断層画像を表示するためのものであってもよい。【００１７】
望ましくは、前記静止判定がされたときから所定時間だけ遡るまでのデータ選別期間を設定するデータ選別期間設定部を備え、前記超音波診断装置は、前記データ選別期間内に前記受信信号に基づき生成されたデータを用いて、前記装置制御部によって与えられた指令を実行する。【００１８】
本発明によれば、探触子が静止するに至る過程でのデータ、または、探触子が静止している状態でのデータに基づいて指令が実行される可能性が高くなる。【００１９】
望ましくは、前記フレームデータが生成される度に、前記フレームデータが生成されたときから所定時間だけ遡るまでのデータ選別期間を設定するデータ選別期間設定部を備え、  前記超音波診断装置は、前記データ選別期間内に前記受信信号に基づき生成されたデータを用いて、前記装置制御部によって与えられた指令を実行する。【００２０】
本発明によれば、フレームデータが生成されたときから過去に遡った期間において受信信号に基づき生成されたデータが、超音波診断装置に対する指令の実行に用いられる。これによって、例えば、過去における受信信号を活用する処理が可能となる。【００２１】
望ましくは、前記規定の動きは、前記探触子が前記被検体から離脱する離脱動作であり、  前記動き検出部は、前記探触子が前記被検体に接触しているか否かを前記受信信号に基づいて判定する接触判定部を備え、前記装置制御部は、前記探触子が前記被検体に接触していないとの判定がされたときに、前記探触子の前記被検体からの離脱動作に対応する指令を、前記超音波診断装置に与える。【００２２】
本発明によれば、静止判定がされる度に受付期間が設定され、受付期間内に探触子が被検体に接触していないとの判定がされたときに、探触子の被検体からの離脱動作に対応する指令が超音波診断装置に与えられる。これによって、例えば、ユーザが探触子を静止させ、静止判定後の所定期間内にユーザが探触子を被検体から離すことによって、超音波診断装置に指令が与えられる。したがって、超音波診断装置に指令を与えるためには、初めに探触子を静止させる操作が必要となり、探触子が被検体から偶発的に離脱したことによって超音波診断装置に指令が与えられる可能性が低くなる。【００２３】
望ましくは、前記被検体と前記探触子との密着度に基づいて、前記受付期間の長さを調整する期間調整部を備え、前記期間調整部は、前記密着度が大きい程、前記受付期間を長くする。【００２４】
本発明において、被検体と探触子との密着度は、例えば、探触子が一定の速さで被検体から離れるとした場合に、探触子が被検体から離れ始めてから、被検体から完全に離れるまでの離脱時間を定める値として定義される。すなわち、密着度が大きい程、離脱時間が長くなる。一般に、探触子が被検体に強い圧力で押し込まれている程、被検体と探触子との密着度が大きくなる。また、被検体が軟らかい程、被検体と探触子との密着度が大きくなる。被検体と探触子との密着度が大きい場合には、探触子の離脱時間が長くなる。そのため、探触子が被検体から離れたとしても受付期間内に探触子の動きが検出されず、超音波診断装置に指令を与えることをユーザが意図したにも拘わらず、超音波診断装置に指令が与えられない空振りが生じ得る。本発明によれば、被検体と探触子との密着度が大きい程、受付期間がより長い時間に設定される。これによって空振りが生じる可能性が低くなる。【００２５】
望ましくは、前記規定の動きは、前記探触子が前記被検体に接触した状態で前記探触子が規定の運動をする接触状態運動であり、前記装置制御部は、前記接触状態運動が検出されたときに、前記接触状態運動に対応する指令を、前記超音波診断装置に与える。【００２６】
本発明によれば、接触状態運動が検出されたときにその運動に対応する指令が超音波診断装置に与えられる。接触状態運動は、探触子が被検体に接触した状態で探触子が規定の運動をするような運動である。したがって、被検体から探触子が離脱する離脱動作に比べて探触子の動きが小さくなる。これによって、例えば、被検体の周囲に障害物がある場合でも、超音波診断装置に指令を与える操作が容易となる。【００２７】
望ましくは、前記接触状態運動は、前記被検体に接触した状態での前記探触子の振動または移動である。【００２８】
また、本発明は、超音波診断装置において、物体で反射し探触子で受信された超音波に基づく受信信号を生成する受信部と、前記受信信号に基づいて、前記探触子から見て前記物体が静止したか否かを判定する静止判定部と、前記物体が静止した旨の静止判定がされる度に、前記静止判定がされたときから所定時間経過後までの受付期間を設定する受付期間設定部と、前記受信信号に基づいて前記探触子から見た前記物体の動きを検出する動き検出部と、前記受付期間内に前記探触子から見た前記物体につき予め定められた規定の動きが検出されたときに、当該規定の動きに対応する指令を前記超音波診断装置に与える装置制御部と、を備えることを特徴とする。【００２９】
本発明によれば、静止判定がされる度に受付期間が設定され、受付期間内に探触子から見た物体の規定の動きが検出されたときに、その規定の動きに対応する指令が超音波診断装置に与えられる。これによって、例えば、探触子から見て物体を静止させることにより静止判定がされ、静止判定後の受付期間内における物体の動きによって、超音波診断装置に指令が与えられる。したがって、偶発的な物体の動きに応じて超音波診断装置に指令が与えられる可能性が低くなる。物体には、人体や、超音波を反射する材料で形成された操作用部材がある。物体の規定の動きとしては、例えば、探触子からの物体の離脱、物体の振動、探触子に接触しながらの物体の移動等がある。本発明は、被検体に対して探触子が動くという視点で特徴を捉えた上記の発明を、探触子に対して物体が動くという視点で特徴を捉えたものである。【００３０】
また、本発明は、超音波診断装置において、物体で反射し探触子で受信された超音波に基づく受信信号を生成する受信部と、前記受信信号に基づいて、前記探触子から見て前記物体が静止したか否かを判定する静止判定部と、前記物体が静止した旨の静止判定がされる度に、前記静止判定がされた時間を示すタイムスタンプを記憶するタイムスタンプ記憶部と、前記受信信号に基づいて、前記探触子から見た前記物体につき予め規定された動きを検出する動き検出部と、前記予め規定された動きが検出されたときから所定時間だけ遡った受付期間の間に、前記静止判定がされたか否かを判定する静止履歴判定部と、を備え、前記受付期間内に前記静止判定がされていた場合に、前記探触子から見た前記物体の動きに対応する指令を前記超音波診断装置に与える装置制御部と、を備えることを特徴とする。【００３１】
本発明によれば、探触子から見た物体につき予め定められた規定の動きが検出されたときから所定時間だけ遡った受付期間の間に静止判定がされていたときは、その規定の動きに対応する指令が超音波診断装置に与えられる。これによって、例えば、探触子から見て物体を静止させることにより静止判定がされ、静止判定時から受付期間に相当する時間が経過するまでの間における物体によって、超音波診断装置に指令が与えられる。本発明は、被検体に対して探触子が動くという視点で特徴を捉えた上記の発明を、探触子に対して物体が動くという視点で特徴を捉えたものである。
【発明の効果】
【００３２】
本発明によれば、探触子の詳細な動きに応じて超音波診断装置に指令を与えることができる。
【図面の簡単な説明】
【００３３】
【図１】超音波診断装置の構成を示す図である。
【図２】基準フレームデータを概念的に示す図である。
【図３】状態切り換え処理のフローチャートである。
【図４】接触相関値およびフレーム間相関値の例を示す図である。
【図５】タイムスタンプ式状態切り換え処理のフローチャートである。
【図６】接触相関値、フレーム間相関値およびタイムスタンプが記憶されるタイミングの関係を示す図である。
【図７】手の指を探触子の接触面に接触させる操作方法を示す図である。
【図８Ａ】指令情報を生成するための探触子の動きの例を示す図である。
【図８Ｂ】指令情報を生成するための探触子の動きの例を示す図である。
【図８Ｃ】指令情報を生成するための探触子の動きの例を示す図である。
【図９】ソフトフリーズオン状態において表示される画像の例を示す図である。
【図１０Ａ】探触子の動きとカーソルの動きとの対応を示す図である。
【図１０Ｂ】探触子の動きとカーソルの動きとの対応を示す図である。
【図１０Ｃ】探触子の動きとカーソルの動きとの対応を示す図である。
【図１１】探触子の接触面上でユーザの指をスライドさせる操作方法を示す図である。
【図１２】カーソル操作に際して実行される処理の例を示すフローチャートである。
【図１３】カーソル操作に際して実行される処理の例を示すフローチャートである。
【発明を実施するための形態】
【００３４】
（１）超音波診断装置の構成および基本的な動作
図１には超音波診断装置の構成が示されている。超音波診断装置は、送受信制御部１０、送信部１２、探触子１４、受信部２０、整相加算部２２、超音波画像生成部２４、ディジタルスキャンコンバータ（ＤＳＣ）２６、装置制御部２８、動き検出部３０、表示部５２、シネメモリ５４、および記憶部５６を備える。これらの構成要素のうち、送受信制御部１０、整相加算部２２、超音波画像生成部２４、ＤＳＣ２６、装置制御部２８、および動き検出部３０は、例えば、プロセッサ等の演算処理デバイスによって構成される。演算処理デバイスには、例えば、プログラムによって各構成要素が構成されるものが用いられる。
【００３５】
超音波診断装置は、探触子１４によって被検体１８に対して超音波を送受信し、モニタとしての表示部５２に断層画像を表示する。また、探触子１４における受信超音波に基づく受信信号の変化に応じた指令が超音波診断装置に与えられ、探触子１４の動きに応じて超音波診断装置に指令が与えられる。なお、本願明細書では、受信された超音波に基づき超音波診断装置内で伝送されるあらゆる信号またはデータを受信信号と定義する。
【００３６】
超音波診断装置の動作状態には、通常の状態およびソフトフリーズがオンの状態がある。通常の状態は、時間経過と共に順次生成される断層画像データに基づいて、表示部５２に動画像を表示する動作状態である。
【００３７】
ソフトフリーズとは、表示部５２には静止画像を表示しながらも、探触子１４の動きに応じて超音波診断装置に指令を与える機能をいい、ソフトフリーズがオンの状態とは、この機能を実行する動作状態をいう。ソフトフリーズがオンの状態では超音波の送受信を行うための構成要素が動作している。この構成要素は、例えば、超音波画像生成部２４、およびＤＳＣ２６を除いた構成要素である。一般に、静止画像を表示すると共に、超音波の送受信を行う回路をオフとする（超音波の送受信を行う回路の電源電力を遮断する）フリーズが知られているが、超音波の送受信を行うための回路をオンに維持するという点で、ソフトフリーズは一般的なフリーズと異なる。
【００３８】
以下の説明では、通常の状態およびソフトフリーズがオンの状態を、それぞれ、通常状態およびソフトフリーズオン状態とする。
【００３９】
通常状態において断層画像を表示する構成および処理について説明する。探触子１４は、複数の振動素子１６を備えている。複数の振動素子１６は、被検体１８に接触させる面に沿ってｘ軸方向に配列されている。
【００４０】
計測に際して、探触子１４は被検体１８の表面に接触した状態とされる。各振動素子１６は、送信部１２から出力された送信信号に応じて超音波を発生する。送信部１２は、送受信制御部１０による制御に従い、各振動素子１６に出力する送信信号の遅延時間を調整し、探触子１４において送信超音波ビームを形成し、さらに、その送信超音波ビームを被検体１８に対して走査する。送信超音波ビームは、例えば、放射方向をｙ軸正方向に向けてｘ軸方向に直線状に走査してもよい。また、送信超音波ビームの放射点を探触子１４上の固定端として、送信超音波ビームを回転走査（セクタ走査）してもよい。
【００４１】
その他の送受信態様として、探触子１４から被検体１８に平面波が送信されるように、送信部１２が各振動素子１６に送信信号を出力してもよい。例えば、複数の振動素子１６が直線状に配列されている場合には、各振動素子１６に出力される送信信号の強度および出力タイミングを同一とし、各振動素子１６に同一強度の超音波を同時に発生させる。これによって、探触子１４の接触面と平行な波面を有する平面波が発生する。複数の振動素子１６が直線状に配列されていない場合には、各振動素子１６の位置に応じて、各振動素子１６に発生させる超音波の強度、または、各振動素子１６に超音波を発生させるタイミングを調整してもよい。
【００４２】
被検体１８内で反射した超音波が探触子１４の各振動素子１６で受信されると、各振動素子１６は、受信された超音波に応じた電気信号を受信部２０に出力する。受信部２０は、送受信制御部１０の制御に従い、各振動素子１６から出力された各信号に対して増幅、直交検波等の処理を施す。これによって、受信部２０は、複数の振動素子１６に対応する複数チャネルの受信ベースバンド信号を生成し、整相加算部２２に出力する。
【００４３】
整相加算部２２（フレームデータ生成部）は、複数チャネルの受信ベースバンド信号を整相加算して、複数の受信超音波ビームに対応する複数の受信ラインデータを生成する。ｙ軸方向に向けられた送信超音波ビームがｘ軸方向に直線走査される場合、整相加算部２２は、各送信超音波ビームと同一方向に向けられた各受信超音波ビームを送受信制御部１０の制御に従って形成し、各受信超音波ビームに対応する受信ラインデータを生成する。探触子１４から平面波が送信される場合にも、整相加算部２２は同様の複数の受信ラインデータを生成する。
【００４４】
すなわち、複数の受信ラインデータは、被検体１８の深さ方向（ｙ軸方向）に向けられてｘ軸方向に並ぶ複数の受信ビームラインに対応する。各受信ラインデータは、対応する受信ビームライン上の各位置（各ｙ座標値）に対して受信データが対応付けられたデータである。
【００４５】
送受信制御部１０、送信部１２、探触子１４、および受信部２０は、断層画像が観測される観測面に対し超音波ビームの走査を繰り返し行う。整相加算部２２は、繰り返し行われる超音波ビームの走査に対応して、時間経過と共に順次フレームデータを生成し、超音波画像生成部２４、および動き検出部３０に順次、フレームデータを出力する。
【００４６】
なお、探触子１４から平面波が送信される場合には、送受信制御部１０、送信部１２、探触子１４、および受信部２０は、断層画像が観測される観測面に対し、平面波の送信およびこれに伴う反射超音波の受信を繰り返し行う。整相加算部２２は、繰り返し行われる超音波の送受信に対応して、時間経過と共に順次フレームデータを生成する。
【００４７】
超音波画像生成部２４は、フレームデータに対し、ゲイン補正、ログ圧縮、フィルタ処理等の視認性を調整する信号処理を施して、縦方向および横方向に配列された複数の画素を表す断層画像データを生成し、ＤＳＣ２６に出力する。ＤＳＣ２６は、断層画像データを、画像表示を行うためのビデオ信号に変換して装置制御部２８に出力する。装置制御部２８は、ＤＳＣ２６から順次出力された断層画像データに基づく画像を、動画像として表示部５２に表示させる。
【００４８】
装置制御部２８は、表示対象となっている断層画像データから過去に遡って所定フレーム数の断層画像データをシネメモリ５４に記憶させる。装置制御部２８は、シネメモリ５４に記憶された各断層画像データに基づく画像を、ユーザの操作に基づいて、静止画像または動画像として表示部５２に表示してもよい。
【００４９】
（２）状態切り換え処理
超音波診断装置の動作状態を切り換える処理について説明する。状態切り換え処理は、探触子１４の動きに応じて行われる。通常状態の超音波診断装置は、探触子１４が被検体１８に接触した状態で静止したことを認識し、かつ、その後に探触子１４が被検体１８から離れたことを認識すると、ソフトフリーズオン状態となり、探触子１４が静止したときの断層画像を静止画像として表示部５２に表示する。
【００５０】
（２−１）状態切り換え処理を実行するための構成
状態切り換え処理は、動き検出部３０が装置制御部２８に出力する情報に基づいて行われる。動き検出部３０は、バッファメモリ３２、フレーム間相関演算部３６、静止判定部３８、接触判定部４２および動きフレーム生成部３４を備える。これらの構成要素の一部または総ては、装置制御部２８の内部に構成されてもよい。
【００５１】
バッファメモリ３２は、整相加算部２２から最新のフレームデータが出力されたときから、過去に遡って所定フレーム数のフレームデータを記憶する。この所定フレーム数のフレームよりも先に記憶されたフレームデータは、新たなフレームデータが記憶されるごとに削除されてもよい。フレーム間相関演算部３６は、異なる時間に生成された複数のフレームデータをバッファメモリ３２から読み込み、これら複数のフレームデータの近似度を表すフレーム間相関値を求める。
【００５２】
フレーム間相関演算部３６は、例えば、最新のフレームデータと１フレーム前のフレームデータをバッファメモリ３２から読み込み、最新のフレームデータと１フレーム前のフレームデータについてフレーム間相関値を求める。相関演算は、例えば、観測面上の同一位置のデータ値を乗算し、各位置について求められた乗算値を加算合計する演算として定義される。フレーム間相関値は、０以上１以下の値となるように規格化されてもよい。また、フレーム間相関値は、予め観測面上に設定された関心領域について求められてもよい。このように定義されたフレーム間相関値は、値が大きい程、２つのフレームデータが近似していることを意味する。被検体１８内の生体組織が動かないという条件下では、探触子１４の動きが遅い程、フレーム間相関値が大きくなる。フレーム間相関演算部３６は、整相加算部２２からバッファメモリ３２に新たにフレームデータが出力されるごとにフレーム間相関値を生成し、装置制御部２８および静止判定部３８に出力する。
【００５３】
なお、フレーム間相関値は、バッファメモリ３２に記憶された複数のフレームデータから、その他の規則性に基づいて選択された複数のフレームデータに基づき生成してもよい。例えば、最新のフレームデータとＮフレーム前のフレームデータに基づいてフレーム間相関値を求めてもよい。ここでＮは２以上の任意の整数である。また、複数のフレームデータのうち時間的に隣接する２つのフレームデータの組のそれぞれについて仮のフレーム間相関値を求め、これら仮のフレーム間相関値に対する重み付け平均化（移動平均化）によって得られた値がフレーム間相関値として求められてもよい。
【００５４】
静止判定部３８は、フレーム間相関値が所定の静止閾値以上である場合には、探触子１４が静止している旨の静止判定をし、その旨を示す静止情報を装置制御部２８に出力する。
【００５５】
接触判定部４２は、探触子１４が被検体１８に接触しているか否かを判定する。この判定は、フレームデータと基準フレームデータとの相関値に基づいて行われる。基準フレームデータは、探触子１４が被検体１８から離れている場合におけるフレームデータに相当し、予め接触判定部４２に記憶されている。基準フレームデータを概念的に白黒画像で表した場合、図２に示されているように、探触子１４近傍に多重エコーを表す濃淡の縞が現れる。接触判定部４２は、フレームデータと基準フレームデータとの相関値を求める。接触判定部４２は、相関値が所定の非接触閾値以上となったときに、探触子１４が被検体１８から離れている旨の非接触判定をし、その旨を示す非接触情報を装置制御部２８に出力する。
【００５６】
なお、基準フレームデータは、異なる複数の計測条件のそれぞれについて接触判定部４２に記憶されていてもよい。計測条件には、例えば、受信部におけるゲイン、超音波の周波数、フォーカス深度（焦点位置）等がある。この場合、接触判定部４２は、記憶された複数の基準フレームデータのうち、判定対象のフレームデータの計測条件に対応する基準フレームデータを選択し、判定に用いる。また、超音波診断装置は、探触子１４が被検体１８から離れた状態でフレームデータを生成することで基準フレームデータを生成し、接触判定部４２に記憶させるキャリブレーションを実行してもよい。
【００５７】
装置制御部２８は、超音波診断装置の動作状態の設定、表示部５２に表示する画像に関する処理等、超音波診断装置に対する全体的な制御を行う。装置制御部２８には、状態設定部４４、期間設定部４５、表示処理部４８および指令生成部５０が構成される。これらの構成要素は、装置制御部２８が有する各機能を実行するものであり、例えば、装置制御部２８が実行するプログラムによって仮想的に構成される。
【００５８】
状態設定部４４は、装置制御部２８が取得した情報に基づき超音波診断装置の動作状態を設定する。例えば、通常状態からソフトフリーズオン状態への切り換え、およびソフトフリーズオン状態から通常状態への切り換えを行う。期間設定部４５は、探触子１４の動きに応じて超音波診断装置に指令を与える際のタイミングに関する値を設定する。表示処理部４８は、装置制御部２８が取得した情報に基づき、超音波診断装置の動作状態に応じて、画像表示に関する処理を実行する。指令生成部５０は、超音波診断装置がソフトフリーズオン状態にあるときに装置制御部２８が取得した情報に基づき、指令情報を生成する。装置制御部２８は、指令情報に応じて超音波診断装置を制御する。
【００５９】
（２−２）状態切り換え処理の概要
状態切り換え処理の概要について説明する。最初に超音波診断装置は通常状態にあり、探触子１４は被検体１８に接触しているものとする。装置制御部２８は、静止判定部３８によって静止判定がされると、静止判定時を基準としたジェスチャ受付期間およびデータ選別期間を設定する。ジェスチャ受付期間は、静止判定時から所定時間後までの期間であり、超音波診断装置によって探触子１４の動き、すなわち、ジェスチャが指令として受け入れられる期間である。静止判定時はジェスチャ受付期間に含まれるものとする。データ選別期間は、静止判定時から所定時間だけ遡るまでの期間であり、ソフトフリーズオン状態において表示部５２に表示されるフリーズ画像が、この期間に生成された複数フレームの断層画像データから選別される。探触子１４が静止した状態が維持され、静止判定が繰り返し行われると、静止判定が行われるごとにジェスチャ受付期間およびデータ選別期間が更新される。すなわち、静止判定が行われるごとに、ジェスチャ受付期間およびデータ選別期間は未来方向に移動する。なお、データ選別期間は、静止判定時に限らず、整相加算部２２からフレームデータが出力されるごとに設定されてもよい。
【００６０】
装置制御部２８は、ジェスチャ受付期間内に接触判定部４２によって非接触判定がされると、超音波診断装置をソフトフリーズオン状態に設定する。ソフトフリーズオン状態では、表示部５２にフリーズ画像が表示される。超音波を送受信する構成要素が動作しており、後述のように、探触子１４の動きに応じて超音波診断装置に指令が与えられる。フリーズ画像は、例えば、データ選別期間の間で、フレーム間相関値が最大となったときにおける断層画像データに基づく画像である。装置制御部２８は、ジェスチャ受付期間外に探触子１４が被検体１８から離れた場合には、超音波診断装置をソフトフリーズオン状態に設定せず、超音波診断装置を通常状態に維持する。
【００６１】
このような処理によれば、探触子１４が静止することで静止判定時から将来に向かってジェスチャ受付期間が設定され、ジェスチャ受付期間内に探触子１４が被検体１８から離れることで、超音波診断装置がソフトフリーズオン状態に設定される。したがって、探触子１４の静止、および探触子１４の被検体１８からの離脱という２つの動きに基づいて、超音波診断装置が通常状態からソフトフリーズオン状態に切り換えられる。これによって、ユーザの意図に反して超音波診断装置の状態が通常状態からソフトフリーズオン状態に切り換わってしまう可能性が低くなる。
【００６２】
（２−３）状態切り換え処理の具体例
次に、状態切り換え処理の具体例について説明する。図３には、フレーム間相関演算部３６、静止判定部３８、および接触判定部４２から出力される情報に基づいて超音波診断装置が実行する状態切り換え処理のフローチャートが示されている。
【００６３】
最初に超音波診断装置は通常状態にあり、探触子１４は被検体１８に接触しているものとする。また、装置制御部２８は、過去に遡った所定のフレーム数について、フレーム間相関値を時間に対応付けて記憶部５６に記憶しているものとする。
【００６４】
整相加算部２２は、観測面に対する超音波の送受信に応じて、１フレームのフレームデータを生成し（Ｓ１０１）、フレームデータを動き検出部３０および超音波画像生成部２４に出力する。装置制御部２８は、超音波診断装置が、ソフトフリーズオン状態であるか否かを判定する（Ｓ１０２）。装置制御部２８は、超音波診断装置がソフトフリーズオン状態であるときは、フリーズ画像を表示部５２に表示させる（Ｓ１１０）。一方、超音波診断装置がソフトフリーズオン状態でないときは、装置制御部２８は、静止判定部３８によって静止判定がされたか否かを判定する（Ｓ１０３）。装置制御部２８は、静止判定がされた場合には、データ選別期間およびジェスチャ受付期間を更新した上で（Ｓ１０４）、ステップＳ１０６に進む。装置制御部２８は、静止判定がされない場合には、各期間を更新することなくステップＳ１０５に進む。
【００６５】
ステップＳ１０５において装置制御部２８は、現時点がジェスチャ受付期間内かを判定する（Ｓ１０５）。装置制御部２８は、現時点がジェスチャ受付期間内でないときは、超音波診断装置を通常状態とし（Ｓ１０９）、時間経過と共に順次生成された断層画像データに基づく画像を動画像として表示部５２に表示させる（Ｓ１１０）。
【００６６】
装置制御部２８は、現時点がジェスチャ受付期間内である場合には、記憶部５６およびシネメモリ５４を参照し、フリーズ画像を選別する（Ｓ１０６）。フリーズ画像は、例えば、データ選別期間の間でフレーム間相関値が最大となったときにおける断層画像データに基づく画像である。フリーズ画像は、データ選別期間の間で、フレーム間相関値が所定値以上の複数フレームの断層画像データのいずれかに基づく画像であってもよい。フリーズ画像を示す断層画像データは、記憶部５６に記憶されている過去のフレーム間相関値に基づき、シネメモリ５４から読み込まれる。
【００６７】
装置制御部２８は、探触子１４が被検体１８から離れたか否かを判定する（Ｓ１０７）。この判定は、接触判定部４２から非接触情報が出力されたか否かに基づいて行われる。装置制御部２８は、探触子１４が被検体１８から離れていないとの判定をした場合、超音波診断装置を通常状態に設定し（Ｓ１０９）、断層画像データに基づく画像を表示部５２に表示させる（Ｓ１１０）。一方、探触子１４が被検体１８から離れているとの判定をした場合、装置制御部２８は、超音波診断装置をソフトフリーズオン状態に設定し（Ｓ１０８）、フリーズ画像を表示部５２に表示させる（Ｓ１１０）。装置制御部２８は、各動作状態に応じた画像を表示部５２に表示させた後（Ｓ１１０）、ステップＳ１０１に戻る。
【００６８】
図３に示される処理によれば、各静止判定時においてジェスチャ受付期間が設定される。そして、ジェスチャ受付期間内に、探触子１４が被検体１８から離れた場合には、ステップＳ１０８に基づき超音波診断装置がソフトフリーズオン状態に設定される。ソフトフリーズオン状態では、ステップＳ１０１、Ｓ１０２およびＳ１１０の順に各ステップが繰り返される。
【００６９】
ステップＳ１０４は、ステップＳ１０３の判定に応じて実行される。すなわち、静止判定がされるごとに（Ｓ１０３）、データ選別期間およびジェスチャ受付期間が静止判定時を基準として更新される（Ｓ１０４）。探触子１４が静止している状態が継続し、時間間隔Ｔで複数回に亘って静止判定がされる場合、静止判定がされるごとにデータ選別期間およびジェスチャ受付期間が時間Ｔだけ未来方向に移動する。
【００７０】
したがって、探触子１４を被検体１８に接触させた状態で静止させ、探触子１４を被検体１８から離すことで、超音波診断装置は、通常状態からソフトフリーズオン状態に設定される。
【００７１】
探触子１４が被検体１８に接触した状態が維持される場合には、ジェスチャ受付期間に関わらず、超音波診断装置は通常状態とされる。すなわち、ジェスチャ受付期間内では、ステップＳ１０１〜Ｓ１０７、Ｓ１０９およびＳ１１０の順に各ステップが実行され、超音波診断装置が通常状態とされる。ジェスチャ受付期間外では、ステップＳ１０１〜Ｓ１０５、Ｓ１０９およびＳ１１０の順に各ステップが実行され、超音波診断装置は通常状態とされる。
【００７２】
図４（ａ）および（ｂ）には、それぞれ、フレームデータと基準フレームデータとの相関値（接触相関値Ａ）、およびフレーム間相関値Ｂの例が示されている。横軸は時間を示し、縦軸は、それぞれ、接触相関値Ａおよびフレーム間相関値Ｂを示す。接触相関値Ａは、フレームデータと基準フレームデータとの相関値であり、接触判定部において生成される。
【００７３】
この例では、時間ｔ（−１８）から時間ｔ（−８）までの間、探触子が被検体に接触しながら移動している。時間ｔ（−８）から時間ｔ（−４）までの間、探触子は被検体に接触した状態で静止し、時間ｔ（−４）から探触子が被検体に接触しつつも離れ始め（半接触）、時間ｔ（０）に探触子は被検体から離れる。
【００７４】
フレーム間相関値Ｂは、時間ｔ（−９）以前では静止閾値Ｓ未満であるものの、時間ｔ（−８）〜時間ｔ（−４）では静止閾値Ｓ以上となる。そして、時間（−３）以降、再び静止閾値Ｓ未満となる。したがって、時間ｔ（−８）〜時間ｔ（−４）の間、時間間隔Ｔで静止判定がされる。静止判定時である時間ｔ（−８）〜時間ｔ（−４）のそれぞれにおいては、データ選別期間Ｄおよびジェスチャ受付期間Ｇが設定される。データ選別期間Ｄは、各静止判定時から１０Ｔだけ過去に遡るまでの期間であり、ジェスチャ受付期間Ｇは、各静止判定時から５Ｔだけ後までの期間である。時間ｔ（−８）に最初に静止判定がされてから、時間ｔ（−７）〜時間ｔ（−４）のそれぞれにおいて静止判定がされる。そのため、時間ｔ（−８）にデータ選別期間Ｄおよびジェスチャ受付期間Ｇが設定された後、時間ｔ（−７）〜時間ｔ（−４）のそれぞれにおいては、静止判定がされるごとにデータ選別期間Ｄおよびジェスチャ受付期間Ｇが時間Ｔだけ後に移動する。
【００７５】
図４に示されている例では、時間ｔ（０）に探触子が被検体から離れ、接触相関値Ａが非接触閾値Ｕ以上となっている。時間ｔ（０）は、直近の静止判定時ｔ（−４）に設定されたジェスチャ受付期間Ｇ内にあるため、超音波診断装置はソフトフリーズオン状態に設定される。ソフトフリーズオン状態で表示されるフリーズ画像は、静止判定時ｔ（−４）で設定されたデータ選別期間Ｄにおいて、フレーム間相関値Ｂが最大になる時間ｔ（−５）における断層画像データに基づく画像である。なお、フリーズ画像は、探触子が被検体から離れた時間ｔ（０）で設定されたデータ選別期間Ｄにおいて、フレーム間相関値Ｂが最大になる時間ｔ（−５）における断層画像データに基づく画像であってもよい。
【００７６】
図４には、探触子が被検体から離れた直近の静止判定時が時間ｔ（−４）であることが丸印Ｍによって示されている。さらに、時間ｔ（−４）から１０Ｔだけ遡ったデータ選別期間Ｄ内の時間ｔ（−５）において、フレーム間相関値Ｂが最大になったことが丸印Ｐによって示されている。
【００７７】
（３）ジェスチャ受付期間の設定
ジェスチャ受付期間は、被検体１８と探触子１４との密着度に応じて設定されてもよい。被検体１８と探触子１４との密着度は、探触子１４が一定の速さで被検体１８から離れるとした場合に、探触子１４が被検体１８から離れ始めてから非接触判定がされるまでの離脱時間を定める値として定義される。すなわち、密着度が大きい程、離脱時間が長くなる。一般に、探触子１４が被検体１８に強い圧力で押し込まれている程、被検体１８と探触子１４との密着度が大きくなる。また、被検体１８が軟らかい程、被検体１８と探触子１４との密着度が大きくなる。
【００７８】
被検体１８と探触子１４の密着度が大きい場合には、探触子１４の離脱時間が長くなる。そのため、探触子１４が被検体１８から離れたとしてもジェスチャ受付期間内に非接触判定がされず、超音波診断装置をソフトフリーズオン状態に設定することをユーザが意図したにも拘わらず、超音波診断装置の状態がソフトフリーズオン状態に設定されないという空振りが生じ得る。そこで、装置制御部２８が備える期間設定部４５は、被検体１８と探触子１４との密着度が大きい程、ジェスチャ受付期間をより長い時間に設定してもよい。これによって空振りが生じる可能性が低くなる。
【００７９】
被検体１８と探触子１４との密着度は、装置制御部２８が実行する診断アプリケーションに応じて装置制御部２８が求めてもよい。診断アプリケーションは、例えば、乳房部、腹部、頸部等の診断部位に応じた画像を表示部５２に表示させたり、診断部位に応じた測定状態に超音波診断装置を設定したりするアプリケーションである。
【００８０】
例えば、装置制御部２８は、診断アプリケーションが、乳房部、腹部等の比較的軟らかい部位を診断するものである場合には、診断アプリケーションが、頸部、腕部、指等の比較的硬い部位を診断するものである場合に比べて密着度を大きい値とする。また、装置制御部２８は、診断アプリケーションが、肝臓、腎臓等の深い位置にある部位を診断するものである場合には、診断アプリケーションが、頸部等の比較的浅い部位を診断するものである場合に比べて密着度を大きい値とする。これは、深い部位を診断する場合には、探触子１４が被検体１８に強く押し込まれることが多いためである。
【００８１】
このように、装置制御部２８が備える期間設定部４５は、被検体１８と探触子１４との密着度に基づいて、ジェスチャ受付期間の長さを調整する期間調整部として機能する。期間設定部４５は、例えば、被検体１８と探触子１４との密着度が大きい程、ジェスチャ受付期間を長くする。これによって空振りが生じる可能性が低くなる。
【００８２】
被検体１８と探触子１４との密着度は、探触子１４の形状や種類によっても異なる。例えば、曲面状の被検体接触面を有するコンベックスプローブは、平面状の被検体接触面を有するリニアプローブよりも密着度が小さくなる傾向にある。
【００８３】
装置制御部２８は、予めユーザの操作によって入力された探触子１４の形状、種類等に関する情報に基づいて密着度を求めてもよい。探触子１４の形状に関する情報には、例えば、被検体接触面の曲率、幅等を表す情報がある。探触子１４の種類には、例えば、コンベックスプローブ、リニアプローブ、経膣プローブ、経直腸プローブ等がある。
【００８４】
また、探触子１４が超音波診断装置に取り付けられると共に、探触子１４から装置制御部２８に密着度に関する情報が与えられるように、超音波診断装置が構成されてもよい。  さらに、探触子１４から被検体１８に与えられる圧力を検出し、装置制御部２８に検出値を出力する圧力センサを超音波診断装置に設け、圧力検出値に基づいて密着度を求める処理を装置制御部２８が実行してもよい。また、ユーザの操作等に応じて、装置制御部２８が表示部５２に表示される部位の深さを設定する場合には、装置制御部２８は、表示部位の深さが深い程、密着度を大きい値に設定してもよい。また、装置制御部２８は、探触子１４が形成する超音波ビームの焦点位置の深さが深い程、密着度を大きい値に設定してもよい。
【００８５】
装置制御部２８が備える期間設定部４５は、密着度に応じてジェスチャ受付期間を設定する他、ユーザの操作に基づく数値の読み込みによって、ジェスチャ受付期間を設定してもよい。ジェスチャ受付期間は、フレーム数を単位としてもよいし、時間を単位としてもよい。
【００８６】
（４）タイムスタンプ式状態切り換え処理
超音波診断装置の動作状態を切り換える処理としては、次のようなタイムスタンプ式の処理を採用してもよい。タイムスタンプ式状態切り換え処理では、静止判定がされるごとにタイムスタンプが記憶される。タイムスタンプは、静止判定がされた時間を示す情報である。超音波診断装置は、非接触判定がされたときは、過去に記憶されたタイムスタンプに基づいて、非接触判定がされた時から所定の遡及時間だけ遡った遡及受付期間内に静止判定がされたか否かを判定する。そして、遡及受付期間内に静止判定がされていた場合には、超音波診断装置はソフトフリーズオン状態となり、探触子１４が静止したときの断層画像を静止画像として表示部５２に表示する。
【００８７】
図５には、フレーム間相関演算部３６、静止判定部３８、および接触判定部４２から出力される情報に基づいて超音波診断装置が実行するタイムスタンプ式状態切り換え処理のフローチャートが示されている。
【００８８】
整相加算部２２は、観測面に対する超音波の送受信に応じて、１フレームのフレームデータを生成し（Ｓ４０１）、フレームデータを動き検出部３０および超音波画像生成部２４に出力する。装置制御部２８は、超音波診断装置がソフトフリーズオン状態であるか否かを判定する（Ｓ４０２）。装置制御部２８は、超音波診断装置がソフトフリーズオン状態であるときは、フリーズ画像を表示部５２に表示させる（Ｓ４１０）。一方、超音波診断装置がソフトフリーズオン状態でないときは、装置制御部２８は静止判定部３８によって静止判定がされたか否かを判定する（Ｓ４０３）。装置制御部２８は、静止判定がされた場合には、タイムスタンプを記憶部５６に記憶した上で（Ｓ４０４）、ステップＳ４０５に進む。装置制御部２８は、静止判定がされない場合には、タイムスタンプを記憶部５６に記憶することなくステップＳ４０５に進む。
【００８９】
ステップＳ４０５において装置制御部２８は、探触子１４が被検体１８から離れたか否かを判定する（Ｓ４０５）。この判定は、接触判定部４２から非接触情報が出力されたか否かに基づいて行われる。装置制御部２８は、探触子１４が被検体１８から離れていないとの判定をした場合、超音波診断装置を通常状態に設定し（Ｓ４０９）、断層画像データに基づく画像を表示部５２に表示させる（Ｓ４１０）。
【００９０】
制御装置２８は、遡及受付期間の間に静止判定がされたか否かを判定する静止履歴判定部としての機能を有する。すなわち、装置制御部２８は、探触子１４が被検体１８から離れているとの判定をした場合、遡及受付期間内に静止判定がされたことを示すタイムスタンプが記憶部５６に記憶されているか否かを判定することによって、遡及受付期間内に静止判定がされたか否かを判定する（Ｓ４０６）。遡及受付期間内に静止判定がされていなかった場合、装置制御部２８は超音波診断装置を通常状態に設定し（Ｓ４０９）、断層画像データに基づく画像を表示部５２に表示させる（Ｓ４１０）。
【００９１】
遡及受付期間内に静止判定がされた場合、装置制御部２８はフリーズ画像を選別する（Ｓ４０７）。すなわち、装置制御部２８は、遡及受付期間内に静止判定がされたことを示すタイムスタンプが示す時間から所定時間だけ遡ったデータ選別期間にシネメモリ５４に記憶された断層画像データから、フリーズ画像を選別する。遡及受付期間内に複数のタイムスタンプがある場合、データ選別期間の基準となるタイムスタンプは、例えば、遡及受付期間内のタイムスタンプのうち最後のものとする。
【００９２】
データ選別期間は、静止判定がされるごとに各タイムスタンプと共に予め記憶部５６に記憶させてもよいし、ステップＳ４０７を実行するときにタイムスタンプに基づいて求めてもよい。さらに、データ選別期間は、静止判定時に限らず、整相加算部２２からフレームデータが出力されるごとに、整相加算部２２からフレームデータが出力された時を基準に設定してもよい。この場合、非接触判定がされたフレーム生成時から所定時間だけ遡った期間がフリーズ画像を選別するためのデータ選別期間となる。
【００９３】
フリーズ画像の選別は、例えば、データ選別期間の間でフレーム間相関値が最大となったときにおける断層画像データに基づく画像をフリーズ画像とすることで行われる。また、フリーズ画像は、データ選別期間の間で、フレーム間相関値が所定値以上の複数フレームの断層画像データのいずれかに基づく画像であってもよい。
【００９４】
フリーズ画像を選別した後、装置制御部２８は、超音波診断装置をソフトフリーズオン状態に設定し（Ｓ４０８）、フリーズ画像を表示部５２に表示させる（Ｓ４１０）。装置制御部２８は、各動作状態に応じた画像を表示部５２に表示させた後（Ｓ４１０）、ステップＳ４０１に戻る。
【００９５】
図５に示される処理によれば、静止判定がされるごとにタイムスタンプが記憶される。非接触判定がされたときは、過去に記憶されたタイムスタンプに基づいて、非接触判定がされた時から遡及時間だけ遡った遡及受付期間内に静止判定がされたか否かが判定される。そして、遡及受付期間内に静止判定がされていた場合には、ソフトフリーズオン状態となり、探触子１４が静止したときの断層画像が静止画像として表示部５２に表示される。
【００９６】
したがって、ユーザが探触子１４を被検体１８に接触させた状態で静止させ、遡及受付期間に相当する時間が経過するまでの間に探触子１４を被検体１８から離すことで、超音波診断装置は、通常状態からソフトフリーズオン状態に設定される。探触子１４が被検体１８に接触した状態が維持されている限り、ステップＳ４０５によって超音波診断装置は通常状態とされる。また、探触子１４が被検体１８から離れた場合であっても、遡及受付期間内に静止判定がされていなかった場合には超音波診断装置は通常状態とされる。すなわち、ユーザが探触子１４を被検体１８に接触させた状態で静止させ、遡及受付期間に相当する時間が経過した後に探触子１４を被検体１８から離した場合には、超音波診断装置はソフトフリーズオン状態とはならず通常状態が維持される。したがって、タイムスタンプ式状態切り換え処理によれば、探触子１４の動きに対し、上述の状態切り換え処理と同様の処理が実行される。遡及受付期間は、「（３）ジェスチャ受付期間の設定」で述べたように、被検体１８と探触子１４との密着度に応じて設定されてもよい。
【００９７】
図６には、接触相関値Ａ、フレーム間相関値Ｂ、およびタイムスタンプが記憶されるタイミングの関係が示されている。接触相関値Ａおよびフレーム間相関値Ｂの値は、図４に示された値と同一である。
【００９８】
フレーム間相関値Ｂは、時間ｔ（−９）以前では静止閾値Ｓ未満であるものの、時間ｔ（−８）〜時間ｔ（−４）では静止閾値Ｓ以上となる。そして、時間（−３）以降、再び静止閾値Ｓ未満となる。したがって、時間ｔ（−８）〜時間ｔ（−４）の間、時間間隔Ｔで静止判定がされる。そして、時間ｔ（−８）〜時間ｔ（−４）のそれぞれにおいて、タイムスタンプが記憶部５６に記憶される。図６には、矢印Ｒ１〜Ｒ５によってタイムスタンプが記憶されるタイミングが示されている。
【００９９】
図６に示されている例では、時間ｔ（０）に探触子が被検体から離れ、接触相関値Ａが非接触閾値Ｕ以上となっている。時間ｔ（０）から過去に遡る遡及受付期間Ｈ内に、タイムスタンプＲ４およびＲ５が記憶されているため、超音波診断装置はソフトフリーズオン状態に設定される。ソフトフリーズオン状態で表示されるフリーズ画像は、遡及受付期間Ｈ内の最後のタイムスタンプが記憶された時間ｔ（−４）から過去に遡ったデータ選別期間Ｅにおいて、フレーム間相関値Ｂが最大になる時間ｔ（−５）における断層画像データに基づく画像である。
【０１００】
図６には、遡及受付期間Ｈ内の最後のタイムスタンプ記憶時が時間ｔ（−４）であることが丸印Ｍによって示されている。さらに、時間ｔ（−４）から１０Ｔだけ遡ったデータ選別期間Ｅ内の時間ｔ（−５）において、フレーム間相関値Ｂが最大になったことが丸印Ｐによって示されている。
【０１０１】
（５）ユーザの指、超音波反射性部材等による状態切り換え
上記では、被検体１８が静止した状態における探触子１４の動きによって、超音波診断装置の状態を切り換える操作について説明した。超音波診断装置に対しては、探触子１４の接触面にユーザの指を接触させ、指を動かすことによって状態を切り換える操作が行われてもよい。例えば、ユーザが一方の手で探触子１４を把持し、図７に示されているように、他方の手の指を探触子１４の接触面に接触させる（Ｓ５０１）。そして、ユーザが指を接触面上で静止させた後（Ｓ５０２）、接触面から離すことで（Ｓ５０３）、超音波診断装置の状態は通常状態からソフトフリーズオン状態へと切り換えられる。
【０１０２】
なお、ユーザの指の他、金属等の超音波を反射する部材によって超音波診断装置の状態を切り換える操作が行われてもよい。
【０１０３】
ユーザの指や超音波反射部材等、物体によって超音波診断装置の状態を切り換える操作では、図１の動き検出部３０は、探触子１４から見た物体の動きを検出する。フレーム間相関演算部３６によって求められるフレーム間相関値は、探触子１４から見た物体の動きが遅い程、大きくなる。静止判定部３８は、探触子１４から見て物体が静止したか否かを判定する。静止判定部３８は、フレーム間相関値が所定の静止閾値以上である場合には、物体が探触子１４に対して静止している旨の静止判定をし、その旨を示す静止情報を装置制御部２８に出力する。
【０１０４】
また、接触判定部４２は、物体が探触子１４に接触しているか否かを判定する。接触判定部４２は、フレームデータと基準フレームデータとの相関値を求める。接触判定部４２は、相関値が所定の非接触閾値以上となったときに、物体と探触子１４とが離れている旨の非接触判定をし、その旨を示す非接触情報を装置制御部２８に出力する。
【０１０５】
（６）ソフトフリーズ
ソフトフリーズについて図１を参照して説明する。ソフトフリーズオン状態では、表示部５２にフリーズ画像が静止画像として表示される一方で、探触子１４において超音波が送受信され、受信された超音波に基づく信号に応じて超音波診断装置に指令が与えられる。これによって、探触子１４の動きに応じた指令が超音波診断装置に与えられる。ソフトフリーズオン状態は、探触子１４の動き、すなわち、ジェスチャが超音波診断装置に受け付けられる状態であるといえる。ソフトフリーズオン状態では、シネメモリ５４に記憶された断層画像データは更新されずに保持される。あるいは、ソフトフリーズオン状態が開始されたときにシネメモリ５４に記憶されていた断層画像データを、別に設けられた第２シネメモリに移し替えて記憶し、順次生成される断層画像データによってシネメモリ５４の記憶内容を更新してもよい。この場合、第２のシネメモリは記憶部５６内に構成されてもよい。
【０１０６】
ソフトフリーズオン状態では、ユーザによる探触子１４の操作（探触子１４の動き）に応じて、例えば、フリーズ画像を表す画像データが記憶部５６に保存される。また、フリーズ画像の画質の調整や、印刷媒体への印刷が行われてもよい。さらに、通常状態でシネメモリ５４に記憶された複数フレームの断層画像データのうちいずれかに基づく画像が表示されてもよい。また、フリーズ画像に重ねて、被検体の標準的な組織形状を表すボディマークが表示されてもよい。
【０１０７】
探触子１４の動きに応じた指令が超音波診断装置に与えられる動作について説明する。動きフレーム生成部３４は、バッファメモリ３２に記憶されたフレームデータに基づいて、動きフレームデータを生成する。動きフレームデータは、観測面における各位置に対し、各位置の変位を２次元ベクトルによって対応付けたデータであり、観測面における変位ベクトルの分布を表す。動きフレーム生成部３４は、例えば、最新のフレームデータ、および１フレーム前のフレームデータに基づいて、観測面上の各位置について生体組織の変位ベクトルを求める。変位ベクトルを求める演算としてはパターンマッチングがある。パターンマッチングでは、１フレーム前の画像につき各点を仮想的に移動させた画像と、最新の画像とについて近似度を求め、近似度が大きくなるような各点の移動距離および移動方向が各点の変位ベクトルとして求められる。近似度は、相関値等、当業者の間で様々なものが考えられている。このようにして求められる変位ベクトルは、１フレーム間隔時間当たりに生体組織上の各点が移動した距離および方向を表す。
【０１０８】
また、生体組織の変位を求める演算としてブロックマッチングが用いられてもよい。ブロックマッチングでは、最新の画像と１フレーム前の画像のそれぞれが複数のブロックに分割される。関心領域内のブロックに着目し、着目しているブロックと近似度の大きい１フレーム前のブロックが探索される。探索されたブロック内の各点から、最新のブロック内の各点への移動距離および移動方向が、ブロック内の各点の変位ベクトルとして求められる。動きフレーム生成部３４は、バッファメモリ３２に新たにフレームデータが記憶されるごとに１フレームの動きフレームを生成し、装置制御部２８に出力する。
【０１０９】
なお、ここでは、最新のフレームデータ、および１フレーム前のフレームデータに基づいて、１フレームの動きフレームデータを生成する処理について説明した。動きフレームデータは、バッファメモリ３２に記憶された複数のフレームデータから、その他の規則性に従って選択されたフレームデータに基づき生成してもよい。例えば、最新のフレームデータ、およびＮフレーム前のフレームデータに基づいて、１フレームの動きフレームデータを生成してもよい。ここでＮは２以上の任意の整数である。また、複数のフレームデータにおいて時間的に隣接する２つのフレームデータの組のそれぞれについて仮の動きフレームデータを求め、これら仮の動きフレームデータに対する重み付け平均化（移動平均化）によって得られたデータが動きフレームデータとして求められてもよい。
【０１１０】
装置制御部２８が備える指令生成部５０は、動きフレーム生成部３４から順次出力される動きフレームデータに基づいて、例えば、次のような処理に基づいて、超音波診断装置に対する指令情報を生成する。すなわち、指令生成部５０は、動きフレームデータから観測面上の各位置の変位ベクトルのｘ軸方向成分を抽出し、ｘ軸方向成分の平均値をｘ方向変位として求める。さらに、観測面上の各位置の変位ベクトルのｙ軸方向成分を抽出し、ｙ軸方向成分の平均値をｙ方向変位として求める。ｘ方向変位は、ｘ軸方向成分の最大値、中央値、自乗平均値、加算合計値等、その他の統計値に基づいて求められてもよい。同様に、ｙ方向変位は、ｙ軸方向成分の最大値、中央値、自乗平均値、加算合計値等、その他の統計値に基づいて求められてもよい。指令生成部５０は、動きフレーム生成部３４から時間経過と共に順次出力される動きフレームデータに基づいて、ｘ方向変位およびｙ方向変位の各時間波形を求める。ｘ方向変位およびｙ方向変位の各時間波形は、予め定められた一定の時間長となるように規格化されてもよい。例えば、ｘ方向変位の時間波形の時間長がＬである場合には、ｘ方向変位の時間波形を時間軸方向にＬ分の１倍したものを、規格化された新たなｘ方向変位の時間波形としてもよい。
【０１１１】
記憶部５６には、ｘ方向変位の時間波形について予め定められた複数種の時間波形パターン（ｘ方向パターン）が記憶されており、各ｘ方向パターンに対して指令情報が対応付けて記憶されている。指令生成部５０は、記憶部５６を参照し、ｘ方向変位の時間波形と、ある１つのｘ方向パターンとの近似度を求め、この近似度が所定条件を満たす場合には、そのｘ方向パターンに対応付けられた指令情報を生成する。ここで、近似度は、例えば、ｘ方向変位の時間波形と、ｘ方向パターンとの相関値として定義される。近似度が所定条件を満たす場合として、例えば、相関値が所定の閾値以上となる場合がある。
【０１１２】
同様に、記憶部５６には、ｙ方向変位の時間波形について予め定められた複数種の時間波形パターン（ｙ方向パターン）が記憶されており、各ｙ方向パターンに対して指令情報が対応付けて記憶されている。ｙ方向変位の時間波形と、ある１つのｙ方向パターンとの近似度が大きい場合には、そのｙ方向パターンに対応付けられた指令情報が生成される。
【０１１３】
記憶部５６には、指令生成部５０が参照する情報として、ｘ方向パターンとｙ方向パターンの組み合わせについて、指令情報を対応付けた情報が記憶されていてもよい。この場合、ｘ方向変位の時間波形およびｙ方向変位の時間波形と、予め定められた組み合わせをなすｘ方向パターンおよびｙ方向パターンとの近似度が大きい場合に、そのｘ方向パターンとｙ方向パターンの組み合わせに対して対応付けられた指令情報が生成される。
【０１１４】
指令生成部５０は、動きフレームデータに基づいて観測面上の各位置の変位ベクトルの絶対値の自乗を加算合計したエネルギー評価値を求め、エネルギー評価値に基づいて指令情報を生成してもよい。エネルギー評価値は、探触子１４が有する運動エネルギーを表す。この場合、記憶部５６には、エネルギー評価値についての複数の数値範囲と、各数値範囲に対応する指令情報とを対応付けた情報が記憶される。指令生成部５０は、記憶部５６に記憶された情報を参照し、求められたエネルギー評価値が属する数値範囲に対応する指令情報を生成する。
【０１１５】
装置制御部２８は、指令生成部５０によって生成された指令情報に基づく動作が行われるよう、超音波診断装置を制御する。指令情報としては、表示部５２に表示されたカーソル、ボタン等の操作を指令する情報等がある。例えば、図８Ａの矢印５８に示されているように、探触子１４をｙ軸方向に所定回数だけ振動させる動きに対して、カーソルの上下方向への移動、ボタンの選択、ボタンの押下、ボタンの解除等の指令情報が対応付けられる。動きフレームデータに基づいて求められたｙ方向変位の時間波形と、いずれかのｙ方向パターンとの近似度が所定条件を満たす場合に、そのｙ方向パターンに対応付けられた指令情報が生成される。
【０１１６】
また、図８Ｂの矢印６０に示されているように、探触子１４をｘ軸方向に移動させる動きに対して、カーソルの左右方向への移動、選択された図形のドラッグ等の指令情報が対応付けられる。動きフレームデータに基づいて求められたｘ方向変位の時間波形と、いずれかのｘ方向パターンとの近似度が所定条件を満たす場合に、そのｘ方向パターンに対応付けられた指令情報が生成される。
【０１１７】
さらに、図８Ｃの矢印６２に示されているように、探触子１４をｘｙ平面内で運動させる動きに対して、カーソルの上下方向の移動、表示部５２に表示されたダイヤルの回転等の指令情報が対応付けられる。動きフレームデータに基づいて求められたｘ方向変位の時間波形およびｙ方向変位の時間波形と、ｘ方向パターンとｙ方向パターンの組み合わせのいずれかに対して近似度が所定条件を満たす場合に、そのｘ方向パターンとｙ方向パターンの組み合わせに対応付けられた指令情報が生成される。
【０１１８】
装置制御部２８は、超音波診断装置を用いた診断において通常現れる探触子の動きに対し、ソフトフリーズオン状態における指令を対応付けてもよい。このような慣用ジェスチャとしては、例えば、被検体と探触子との間の摩擦を低減するゼリーを引き延ばすために、探触子を被検体に接触させながら左右に往復運動させるものがある。この往復運動には、ソフトフリーズオン状態を解除して通常状態に設定する指令や、階層化されたメモリ領域（フォルダ）を指定する際に、現在指定されているフォルダよりも一段浅いフォルダを指定する指令、ソフトフリーズオン状態で動作しているアプリケーションを終了させる指令等が対応付けられてもよい。一般に、往復運動は、何らかの動作を取り消したいというユーザの心理と共に、ユーザの行為に表れることが多く、往復運動に何らかの状態を解除する指令を対応付けることで、超音波診断装置の操作性が向上する。
【０１１９】
装置制御部２８は、慣用ジェスチャの他、探触子の単純な動きに対してソフトフリーズオン状態における指令を対応付けてもよい。単純な動き、すなわち、シンプルジェスチャには、探触子の筐体がユーザの指で１回または複数回叩かれることによる微小な動き、探触子を小刻みに上下に振動させる動き等がある。
【０１２０】
慣用ジェスチャおよびシンプルジェスチャは、超音波診断装置が通常状態に設定されている場合において、ユーザが被検体の診断を行うときに偶発的に生じ得る。したがって、誤認識を回避するため、慣用ジェスチャおよびシンプルジェスチャは、ソフトフリーズオン状態で指令として受け付けられる動きとして扱われてもよい。
【０１２１】
また、非接触判定がされたときに、ボタンの押下、解除等の予め定められた指令情報が生成されてもよい。これによって、探触子１４が、被検体１８から離れる動きに応じて、超音波診断装置に対して所定の指令が与えられる。
【０１２２】
図９には、超音波診断装置がソフトフリーズオン状態に設定されたときに、表示部５２に表示される画像の例が示されている。表示部５２には、フリーズ画像６４と共に、５つのボタン７０およびシネメモリバー６８が表示されている。５つのボタン７０には、それぞれ、「静止画印刷」、「動画保存」、「ボディマーク」、「ゲイン」、「フリーズＯＦＦ」と表示されている。カーソル７２をいずれかのボタン７０の位置まで移動させる指令情報に続き、そのボタン７０を押下する指令情報が装置制御部２８で生成されるように、ユーザが探触子を動かすことで、そのボタン７０に割り当てられた機能が実行される。例えば、「静止画印刷」のボタンが押下されるようにユーザが探触子を動かすと、装置制御部２８は、超音波診断装置に接続されたプリンタ（図示せず）にフリーズ画像６４を印刷させる。「動画保存」のボタンが押下されるようにユーザが探触子を動かすと、装置制御部２８は、シネメモリ５４に記憶されている複数フレームの断層画像データを動画像データとして記憶部５６に記憶させる。この際、動画像データには、動画像を管理するための情報が付加される。このように過去の動画像データを保存する処理は、一般にレトロスペクティブと称される。また、次のような将来の動画像データを保存する処理が実行されてもよい。すなわち、「動画保存」のボタンが押下されるようにユーザが探触子を動かすと、装置制御部２８は、超音波診断装置の状態をソフトフリーズオン状態から通常状態に設定する。そして、時間経過と共に順次生成される断層画像データを、所定の複数フレームに亘って記憶部５６に記憶する。このように将来の動画像データを保存する処理は、一般にプロスペクティブと称される。「ボディマーク」のボタンが押下されるようにユーザが探触子を動かすと、装置制御部２８は、ボディマークを表示部５２に表示させる。ボディマークは、乳房部、腕等について被検体の標準的な組織形状を表す。超音波診断装置は、ユーザの操作に応じて、探触子の位置を示す図形をボディマークと共に表示してもよい。「ゲイン」のボタンが押下されるようにユーザが探触子を動かすと、装置制御部２８は、ゲイン（画像の明るさ）が調整可能な状態に超音波診断装置の状態を設定する。「フリーズＯＦＦ」のボタンが押下されるようにユーザが探触子を動かすと、装置制御部２８は、超音波診断装置の状態をソフトフリーズオン状態から通常状態に切り換える。
【０１２３】
左右に直線状に伸びるシネメモリバー６８は、シネメモリ５４に記憶された複数フレームの断層画像データのうちいずれかを選択し、選択された断層画像を静止画像として表示させるための領域である。装置制御部２８は、シネメモリバー６８およびカーソル７２を用いた操作が行われるように、ユーザが探触子を動かすことで、次のように超音波診断装置を動作させる。すなわち、カーソル７２をシネメモリバー６８の上に位置させると、シネメモリバー６８が選択される。その状態でカーソル７２をシネメモリバー６８上の右端に位置させるとフリーズ画像６４が表示される。カーソル７２をシネメモリバー６８に沿って左に移動させていくと、過去に遡って１フレームずつ順次、断層画像データに基づく画像が入れ替わりながら表示される。カーソル７２をシネメモリバー６８に沿って右に移動させていくと、過去から未来（フリーズ画像が得られた時）に向かって１フレームずつ順次、断層画像データに基づく画像が入れ替わりながら表示される。カーソルの動きが静止すると、カーソルが静止した位置に対応する断層画像データに基づく画像が表示される。図９における「２４５／２５０」という表示は、シネメモリ５４に２５０フレームの断層画像データが記憶されており、古い方から数えて２４５番目の断層画像が表示されていることを示す。
【０１２４】
なお、ソフトフリーズオン状態で、探触子の動きが静止した状態が所定時間以上継続した場合には、超音波診断装置をフリーズ状態としてもよい。フリーズ状態は、例えば、装置制御部２８のみに電源電力が供給される状態をいう。また、超音波診断装置の情報を表示するため、表示部５２に電源電力が供給されてもよい。装置制御部２８は、超音波診断装置がソフトフリーズオン状態にあるときに、動きフレーム生成部３４から時間経過と共に順次出力される動きフレームに基づいて、予め定められたフリーズ導入時間だけ探触子が静止したか否かを判定する。具体的には、この判定は、各動きフレームからｙ方向変位およびｘ方向変位を求め、各変位がフリーズ導入時間に亘って所定の閾値未満であったか否かを判定することで行われる。装置制御部２８は、フリーズ導入時間だけ探触子が静止したと判定したときは、超音波診断装置をフリーズ状態に設定する。また、装置制御部２８は、静止判定部３８によって静止判定がされたか否かに基づいて、すなわち、静止判定部３８から静止情報が出力されたか否かに基づいて探触子が静止したか否かを判定してもよい。
【０１２５】
このような処理によれば、ソフトフリーズオン状態において診断が中止された等の場合に、超音波の送受信によって電力が無駄に消費されることが回避される。
【０１２６】
なお、ここでは、被検体１８に対し探触子１４を動かすことで、ソフトフリーズオン状態の超音波診断装置を操作する場合について説明した。被検体１８に対し探触子１４を動かす代わりに、探触子１４の接触面上で、ユーザの指、ユーザの掌、超音波を反射する部材等を動かすことでソフトフリーズオン状態の超音波診断装置を操作してもよい。
【０１２７】
（７）カーソル操作を行うための処理
（７−１）基本的な処理
図９に示されているように、表示部５２に表示される画像にはｕｖ座標系が定義されている。ｕ軸正方向は画像の右方向に対応し、ｖ軸正方向は画像の上方向に対応する。ここでは、探触子１４の動きとカーソル７２の動きが次のように対応付けられているものとする。すなわち、装置制御部２８は、図１の探触子１４が被検体１８に接触した状態でｘ軸正または負方向に移動したことを認識すると、ｕ軸正または負方向にカーソル７２を移動させる。また、装置制御部２８は、探触子１４がｘｙ平面内で左または右に傾けられるように回転したことを認識するとｖ軸正方向またはｖ軸負方向にカーソル７２を移動させる。このような探触子１４の動きとカーソル７２の動きの対応関係は１つの例に過ぎず、その他にも様々な対応関係が採用され得る。
【０１２８】
シネメモリ５４に記憶されている複数フレームの断層画像データには、シネメモリバー６８上のｕ座標値が対応付けられている。すなわち、各断層画像データが記憶されるアドレスにｕ座標値が対応付けられている。シネメモリバー６８上のｕ座標値が装置制御部２８によって指定されることで、そのｕ座標値に対応付けられたアドレスに記憶された断層画像データが装置制御部２８によって読み出される。
【０１２９】
シネメモリバー６８の右端のｕ座標値には、複数フレームの断層画像データのうち、フリーズ画像として選別された断層画像データが対応付けられている。また、ｕ座標値が減少する程、より過去に遡った時に生成された断層画像データが対応するように、ｕ座標値と断層画像データが対応付けられている。同様に、ｕ座標値が増加する程、より最近に生成された断層画像データが対応するように、ｕ座標値と断層画像データが対応付けられている。
【０１３０】
シネメモリバー６８上にカーソル７２が位置している場合、装置制御部２８は、シネメモリ５４に記憶された複数フレームの断層画像データのうち、カーソル７２のｕ座標値に対応付けられた断層画像データを読み込み、その断層画像データに基づく画像を表示部５２に表示させる。
【０１３１】
（７−２）画像記憶処理
シネメモリバー６８は、表示中の断層画像を示す画像データを記憶部５６に記憶させる機能を提供する。この機能は、カーソル７２がシネメモリバー６８上にあるときに、探触子が被検体上で静止したことが認識され、かつ、探触子が被検体から離れたことが認識された場合に実行される。
【０１３２】
図１を参照してこのような画像記憶処理について説明する。最初にカーソルはシネメモリバー上にあるものとする。上述の状態切り換え処理と同様、装置制御部２８は、静止判定部３８によって静止判定がされると、静止判定時を基準としたジェスチャ受付期間およびデータ選別期間を設定する。上述の状態切り換え処理と同様、ジェスチャ受付期間は、被検体１８と探触子１８との密着度に応じて設定されてもよい。探触子１４が静止した状態が維持され、静止判定が繰り返し行われると、静止判定が行われるごとに、ジェスチャ受付期間およびデータ選別期間は未来方向に移動する。
【０１３３】
装置制御部２８は、ジェスチャ受付期間内に接触判定部４２によって非接触判定がされると、記憶部５６およびシネメモリ５４を参照し、記憶対象画像データを選別する。記憶対象画像データは、例えば、データ選別期間の間でフレーム間相関値が最大となったときにおける断層画像データである。記憶対象画像データは、データ選別期間の間で、フレーム間相関値が所定値以上となる複数フレームの断層画像データのいずれかに基づく画像であってもよい。記憶対象画像データとして選別された断層画像データは、記憶部５６に記憶されている過去のフレーム間相関値に基づき、シネメモリ５４から読み込まれる。
【０１３４】
装置制御部２８は、記憶対象画像データを、日付、時刻、画像ファイル名等、その画像を管理するための情報を付加した上で記憶部５６に記憶させる。装置制御部２８は、画像記憶処理を実行した後、超音波診断装置の状態をソフトフリーズオン状態から通常状態に切り換えてもよい。
【０１３５】
（７−３）カーソルの断続的な移動
装置制御部２８は、ジェスチャ受付期間外に探触子１４が被検体１８から離れた場合には、画像記憶処理は実行せず、カーソル７２の位置に応じた断層画像を表示する状態を維持する。探触子１４が被検体１８上で静止することなく被検体１８から離れた場合も同様である。探触子１４が被検体１８に再び接触したときは、ｘ方向変位およびｙ方向変位の変化に応じてカーソル７２を移動させ、カーソル７２のｕ座標値に応じた断層画像を表示部５２に表示させる。
【０１３６】
ジェスチャ受付期間外では、図１０Ａ〜図１０Ｃに示されているようにユーザが探触子１４を操作することで、シネメモリバー６８上のカーソル７２を左右（ｕ軸方向）に移動させることができる。すなわち、探触子１４を被検体１８に接触させながらｘ軸方向に移動させた後に（Ｓ２０１）、探触子１４を静止させることなく被検体１８から離し（Ｓ２０２）、さらに、探触子１４の位置を元に戻し（Ｓ２０３）、再び探触子１４を被検体１８に接触させながらｘ軸方向に移動させる（Ｓ２０４）、という操作をユーザが繰り返すことで、シネメモリバー６８上のカーソル７２を横方向に断続的に移動させることができる。
【０１３７】
図１０Ａ〜図１０Ｃのそれぞれの下方には、各図に示された探触子１４の状態に応じた、シネメモリバー６８上のカーソル７２の位置が示されている。図１０Ａに示されているように、探触子１４を被検体１８に接触させながらｘ軸負方向に移動させることで、シネメモリバー６８上のカーソル７２がｕ軸負方向に移動し、位置Ｌ１から位置Ｌ２に移動する。図１０Ｂに示されているように、探触子１４が被検体１８から離れている間、カーソル７２はシネメモリバー６８の位置Ｌ２で停止する。そして、図１０Ｃに示されているように、探触子１４を被検体１８に接触させながらｘ軸負方向に移動させることで、シネメモリバー６８上のカーソル７２がｕ軸負方向に移動し、位置Ｌ２から位置Ｌ３に移動する。
【０１３８】
このような処理によれば、探触子１４が静止することで静止判定時から将来に向かってジェスチャ受付期間が設定され、ジェスチャ受付期間内に探触子１４が被検体１８から離れることで、記憶対象画像データが選別され記憶される。したがって、探触子１４の静止、および探触子１４の被検体１８からの離脱という２つの動きに基づいて、画像記憶処理が実行され、ユーザの意図に反して画像記憶処理が実行されてしまう可能性が低くなる。
【０１３９】
また、探触子１４が静止することで静止判定時から過去に遡ってデータ選別期間が設定され、データ選別期間の間でフレーム間相関値が所定条件を満たすときにおける断層画像データが記憶対象画像として選別される。これによって、探触子１４が確実に静止した状態で断層画像データが選別され、ユーザが記憶保存しようと意図した断層画像が確実に記憶保存される。
【０１４０】
さらに、ジェスチャ受付期間外では、探触子１４を被検体１８に接触させながら移動させ、探触子１４を被検体１８から離して移動前の位置に接触させ、再び、探触子１４を被検体１８に接触させながら移動させるという操作を繰り返すことで、シネメモリバー６８上の長い距離に亘ってカーソル７２を移動させることができる。
【０１４１】
なお、ユーザが探触子１４を操作する代わりに、図１１に示されるように、探触子１４の接触面上でユーザの指をスライドさせる操作を行ってもよい。すなわち、ユーザが指を探触子１４の接触面に接触させながらｘ軸方向に移動させた後に（Ｓ６０１）、指を静止させることなく探触子１４から離し（Ｓ６０２）、さらに、探触子１４の位置を元に戻し（Ｓ６０３）、再び指を探触子１４の接触面に接触させながらｘ軸方向に移動させる（Ｓ６０１）、という操作をユーザが繰り返すことで、シネメモリバー６８上のカーソル７２を横方向に断続的に移動させることができる。
【０１４２】
（７−４）画像記憶処理の具体例
図１２には超音波診断装置において実行される処理のフローチャートが示されている。図１を参照しつつ図１２に示されたフローチャートについて説明する。超音波診断装置はソフトフリーズオン状態にあり、探触子１４は被検体１８に接触しているものとする。また、装置制御部２８は、過去に遡った所定のフレーム数について、フレーム間相関値を時間に対応付けて記憶部５６に記憶しているものとする。さらに、カーソルはシネメモリバーの上に位置しているものとする。
【０１４３】
整相加算部２２は、観測面に対する超音波の送受信に応じて、１フレームのフレームデータを生成し（Ｓ３０１）、フレームデータを動き検出部３０および超音波画像生成部２４に出力する。装置制御部２８は、静止判定部３８によって静止判定がされたか否かを判定する（Ｓ３０２）。装置制御部２８は、静止判定がされた場合には、データ選別期間およびジェスチャ受付期間を更新した上で（Ｓ３０７）、ステップＳ３０４に進む。装置制御部２８は、静止判定がされない場合には、各期間を更新することなくステップＳ３０３に進む。
【０１４４】
ステップＳ３０３において装置制御部２８は、現時点がジェスチャ受付期間内かを判定する（Ｓ３０３）。装置制御部２８は、現時点がジェスチャ受付期間外である場合には、カーソルの位置に応じた断層画像を表示部５２に表示し（Ｓ３０８）、ステップＳ１０１の処理に戻る。
【０１４５】
装置制御部２８は、現時点がジェスチャ受付期間内である場合には、記憶部５６およびシネメモリ５４を参照し、記憶対象画像を選別する（Ｓ３０４）。記憶対象画像は、例えば、データ選別期間の間でフレーム間相関値が最大となったときにおける断層画像データに基づく画像である。記憶対象画像は、データ選別期間の間で、フレーム間相関値が所定値以上となる複数フレームの断層画像データのいずれかに基づく画像であってもよい。記憶対象画像を示す断層画像データは、記憶部５６に記憶されている過去のフレーム間相関値に基づき、シネメモリ５４から読み込まれる。
【０１４６】
装置制御部２８は、探触子１４が被検体１８から離れたか否かを判定する（Ｓ３０５）。この判定は、接触判定部４２から非接触情報が出力されたか否かに基づいて行われる。装置制御部２８は、探触子１４が被検体１８から離れていないとの判定をした場合、カーソルの位置に応じた断層画像を表示部５２に表示し（Ｓ３０８）、ステップＳ１０１の処理に戻る。
【０１４７】
一方、探触子１４が被検体１８から離れているとの判定をした場合、装置制御部２８は、画像記憶処理を実行する（Ｓ３０６）。装置制御部２８は、画像記憶処理を実行した後、超音波診断装置の状態を通常状態に設定してもよい。
【０１４８】
図１２に示される処理によれば、各静止判定時においてジェスチャ受付期間が設定される。そして、ジェスチャ受付期間内に探触子１４が被検体１８から離れた場合には、画像記憶処理が実行される。
【０１４９】
ステップＳ３０７は、ステップＳ３０２の判定に応じて実行される。すなわち、静止判定がされるごとに（Ｓ３０２）、データ選別期間およびジェスチャ受付期間が静止判定時を基準として更新される（Ｓ３０７）。探触子１４が静止している状態が継続し、時間間隔Ｔで複数回に亘って静止判定がされる場合、静止判定がされるごとにデータ選別期間およびジェスチャ受付期間が時間Ｔだけ未来方向に移動する。
【０１５０】
ジェスチャ受付期間外では、探触子１４が被検体１８から離れたとしても、ステップＳ３０３およびＳ３０８によって、カーソルの位置に応じた断層画像が表示される。したがって、探触子１４を被検体１８に接触させながら移動させ、探触子１４を被検体１８から離して移動前の位置に接触させるという操作を繰り返すことで、シネメモリバー上の長い距離に亘ってカーソルを移動させることができる。
【０１５１】
接触相関値およびフレーム間相関値と、画像記憶処理との関係について説明する。上記において図４は、状態切り換え処理におけるタイミングチャートとしたが、ここでは、ソフトフリーズオン状態におけるタイミングチャートとして図４を援用する。
【０１５２】
この例では、時間ｔ（−１８）から時間ｔ（−８）までの間、探触子が被検体に接触しながら移動している。この間カーソルはシネメモリバーを横方向に移動している。表示部には、カーソルの位置に対応する断層画像が順次入れ替わりながら表示される。時間ｔ（−８）から時間ｔ（−４）までの間、探触子は被検体に接触した状態で静止し、時間ｔ（−４）から探触子が被検体に接触しつつも離れ始め、時間ｔ（０）に探触子は被検体から離れる。
【０１５３】
図４に示されている例では、時間ｔ（０）に探触子が被検体から離れ、接触相関値Ａが非接触閾値Ｕ以上となっている。時間ｔ（０）は、直近の静止判定時ｔ（−４）に設定されたジェスチャ受付期間Ｇ内にあるため、超音波診断装置は画像記憶処理を実行する。記憶対象画像データとして選別される断層画像データは、静止判定時ｔ（−４）に設定されたデータ選別期間Ｄにおいて、フレーム間相関値Ｂが最大になる時間ｔ（−５）に生成された断層画像データである。あるいは、記憶対象画像データとして選別される断層画像データは、非接触判定時ｔ（０）に設定されたデータ選別期間Ｄにおいて、フレーム間相関値Ｂが最大になる時間ｔ（−５）に生成された断層画像データである。画像記憶処理によって、時間ｔ（−５）に生成された断層画像データが記憶部に記憶される。
【０１５４】
超音波診断装置は、図１２に示される処理に代えて、図１３に示されるタイムスタンプ式の処理を実行してもよい。この処理では、静止判定がされるごとにタイムスタンプが記憶される。超音波診断装置は、非接触判定がされたときは、過去に記憶されたタイムスタンプに基づいて、非接触判定がされた時から遡及時間だけ遡った遡及受付期間内に静止判定がされたか否かを判定する。そして、遡及受付期間内に静止判定がされていた場合には、記憶対象画像を選別し、画像記憶処理を実行する。
【０１５５】
整相加算部２２は、観測面に対する超音波の送受信に応じて、１フレームのフレームデータを生成し（Ｓ７０１）、フレームデータを動き検出部３０および超音波画像生成部２４に出力する。装置制御部２８は、静止判定部３８によって静止判定がされたか否かを判定する（Ｓ７０２）。装置制御部２８は、静止判定がされた場合には、タイムスタンプを記憶部５６に記憶した上で（Ｓ７０３）、ステップＳ７０４に進む。装置制御部２８は、静止判定がされない場合には、タイムスタンプを記憶部５６に記憶することなくステップＳ７０４に進む。
【０１５６】
ステップＳ７０４において装置制御部２８は、探触子１４が被検体１８から離れたか否かを判定する（Ｓ７０４）。この判定は、接触判定部４２から非接触情報が出力されたか否かに基づいて行われる。装置制御部２８は、探触子１４が被検体１８から離れていないとの判定をした場合、カーソルの位置に応じた断層画像を表示部５２に表示し（Ｓ７０８）、ステップＳ７０１の処理に戻る。
【０１５７】
装置制御部２８は、探触子１４が被検体１８から離れているとの判定をした場合、遡及受付期間内に静止判定がされたことを示すタイムスタンプが記憶部５６に記憶されているか否かを判定することによって、遡及受付期間内に静止判定がされたか否かを判定する（Ｓ７０５）。遡及受付期間内に静止判定がされていなかった場合、装置制御部２８は、カーソルの位置に応じた断層画像を表示部５２に表示し（Ｓ７０８）、ステップＳ７０１の処理に戻る。
【０１５８】
遡及受付期間内に静止判定がされていた場合、装置制御部２８は記憶対象画像を選別する（Ｓ７０６）。すなわち、装置制御部２８は、遡及受付期間内に静止判定がされたことを示すタイムスタンプが示す時間から所定時間だけ遡ったデータ選別期間にシネメモリ５４に記憶された断層画像データから、記憶対象画像を選別する。データ選別期間の基準となるタイムスタンプは、例えば、遡及受付期間内のタイムスタンプのうち最後のものである。記憶対象画像の選別は、例えば、データ選別期間の間でフレーム間相関値が最大となったときにおける断層画像データに基づく画像を記憶対象画像とすることで行われる。また、記憶対象画像は、データ選別期間の間で、フレーム間相関値が所定値以上の複数フレームの断層画像データのいずれかに基づく画像であってもよい。
【０１５９】
データ選別期間は、静止判定がされるごとに各タイムスタンプと共に予め記憶部５６に記憶させてもよいし、ステップＳ７０６を実行するときにタイムスタンプが示す時間に基づいて求めてもよい。さらに、データ選別期間は、静止判定時に限らず、整相加算部２２からフレームデータが出力されるごとに、整相加算部２２からフレームデータが出力された時を基準に設定してもよい。この場合、非接触判定がされたフレーム生成時から所定時間だけ遡った期間がフリーズ画像を選別するためのデータ選別期間となる。
【０１６０】
記憶対象画像を選別した後、装置制御部２８は画像記憶処理を実行する（Ｓ７０７）。装置制御部２８は、画像記憶処理を実行した後、超音波診断装置の状態を通常状態に設定してもよい。
【０１６１】
（７−５）カーソルの移動速度
図９に示されているように、表示画像には、シネメモリバー６８が含まれる第１領域７４の他、各ボタン７０が含まれる第２領域７６が定義されている。探触子の同一の動きに対するカーソル７２の移動距離は、カーソル７２が第１領域７４内にある場合よりも第２領域７６内にある場合の方が大きい。すなわち、探触子の同一の動きに対し、第２領域７６におけるカーソル７２の移動速度は、第１領域７４におけるそれよりも速い。
【０１６２】
カーソル７２が第２領域７６内に位置しているときは、探触子が静止したか否かに関わらない処理が実行される。装置制御部２８は、第２領域７６内のボタン７０上にカーソル７２が位置しているときに非接触判定がなされると、そのボタン７０に対する処理を実行する。ボタン７０に対する処理は、ボタン７０の種類（操作態様）に応じて行われる。すなわち、ボタン７０が、押下の他、開放がされ得るものである場合には、装置制御部２８は、ボタン７０に対する押下または開放の処理を実行する。また、ボタン７０が、押下のみが行われるものである場合には、装置制御部２８は、ボタン７０に対する押下の処理を実行する。
【０１６３】
これによって、ユーザは、カーソル７２が第２領域７６内で移動し、ボタン７０の上にカーソル７２が位置するように探触子を操作し、さらに、探触子を被検体１８から離すことで、そのボタン７０の押下操作を行うことができる。
【０１６４】
このように、探触子の同一の動きに対して、第２領域７６におけるカーソル７２の移動速度を、第１領域７４におけるそれよりも速くすることで、ボタン操作を迅速に行うことができる。また、シネメモリバー６８上のカーソル７２の位置を微細に調整することができ、表示対象の断層画像を選択する操作が容易となる。
【０１６５】
（８）ソフトフリーズオン状態でのフレーム生成レート
上記のように、ソフトフリーズオン状態では、整相加算部２２から動き検出部３０に出力されるフレームデータに基づいて探触子１４の動きが検出され、探触子１４の動きに基づいて指令情報が生成される。整相加算部２２から単位時間当たりに出力されるフレームの数を示すフレーム生成レートが十分大きくない場合には、動き検出部３０において探触子１４の迅速な動きを検出することが困難となる場合がある。例えば、動きフレームから求められたｘ方向変位およびｙ方向変位の各時間波形が、一定の時間長に規格化された上で用いられる場合、規格化されたｘ方向変位およびｙ方向変位の各時間波形に探触子１４の動きを正確に反映することが困難となる。また、フレーム間隔時間内の探触子１４の動きを検出することが困難となる場合がある。  
【０１６６】
そこで、本実施形態においては、ソフトフリーズオン状態におけるフレーム生成レートを、通常状態におけるフレーム生成レートよりも大きくする。フレーム生成レートを変更する場合、装置制御部２８は、送受信制御部１０、送信部１２、受信部２０、整相加算部２２および動き検出部３０の動作状態を変更する。例えば、被検体１８に対して超音波ビームを走査する場合には、状態設定部４４は送受信制御部１０を制御して走査速度を変更し、さらに、整相加算部２２がフレームデータを生成する時間間隔を変更する。また、探触子１４から平面波を送信する場合には、状態設定部４４は、送受信制御部１０を制御して、平面波を送信する時間間隔および反射超音波を受信する時間間隔を変更し、さらに、整相加算部２２がフレームデータを生成する時間間隔を変更する。これらの時間間隔を短くする程、フレーム生成レートが大きくなる。
【０１６７】
装置制御部２８は、超音波診断装置の動作状態をソフトフリーズオン状態に設定したときは、フレーム生成レートを通常状態におけるそれよりも大きくする。例えば、通常状態におけるフレーム生成レートを、１秒当たり２０フレームから３０フレームとした場合、ソフトフリーズオン状態におけるフレーム生成レートは、例えば、１秒当たり６０フレーム〜９０フレームとする。これによって、動き検出部３０において探触子１４の迅速な動きが検出され、探触子１４の迅速な動きに応じて超音波診断装置に指令が与えられる。
【０１６８】
（９）ソフトフリーズオン状態における超音波の送受信範囲
超音波診断装置がソフトフリーズオン状態である場合、通常状態にある場合に比べて、超音波の送受信範囲を狭くしてもよい。例えば、被検体１８に対して超音波ビームを走査する場合には、装置制御部２８は送受信制御部１０を制御して、ソフトフリーズオン状態におけるｘ軸方向への走査範囲を、通常状態におけるｘ軸方向への走査範囲よりも狭くする。これによって、走査速度を一定にした場合には、１フレーム分の走査に要される時間が短くなり、フレーム生成レートを高くすることが可能となる。また、装置制御部２８は、送受信制御部１０を制御して、探触子１４において形成される超音波ビームの焦点の位置を通常状態の位置よりも浅くしてもよい。
【０１６９】
超音波ビームの走査範囲が狭くなると共に、動きフレーム生成部３４は、超音波ビームの走査範囲内についてのみ変位ベクトルが求められた動きフレームを生成する。これによって、動きフレーム生成部３４で処理される情報量が低減される。
【０１７０】
（１０）切り換えジェスチャの認識
上記の「（２）状態切り換え処理」および「（４）タイムスタンプ式状態切り換え処理」の項目では、非接触判定がされたことに基づいて超音波診断装置の状態を切り換える処理について説明した。例えば、図３に示される処理では、ステップＳ１０７において非接触判定がされたことを条件の１つとして、超音波診断装置が通常状態からソフトフリーズオン状態に設定される。図５に示される処理では、ステップＳ４０５において非接触判定がされたことを条件の１つとして、超音波診断装置が通常状態からソフトフリーズオン状態に設定される。
【０１７１】
このような処理に代えて、予め定められた切り換えジェスチャが認識されたときに、超音波診断装置の状態を切り換える処理を実行してもよい。切り換えジェスチャには、例えば、被検体に接触した状態におけるｘｙ平面内での探触子の運動がある。ｘｙ平面内での探触子の運動としては、例えば、被検体に接触した状態における振動、回転、ｘ軸方向への所定距離の移動等の接触状態運動がある。
【０１７２】
装置制御部２８が備える状態設定部４４は、動きフレーム生成部３４から時間経過と共に順次出力される動きフレームによって、例えば、次のような処理に基づいて、切り換えジェスチャを認識する。
【０１７３】
すなわち、状態設定部４４は、指令生成部５０が実行する処理と同様の処理によって、動きフレーム生成部３４から時間経過と共に順次出力される動きフレームデータのそれぞれに基づいて、ｘ方向変位およびｙ方向変位の各時間波形を求める。ｘ方向変位およびｙ方向変位の各時間波形は、上述のように、予め定められた一定の時間長となるように規格化されてもよい。
【０１７４】
記憶部５６には、切り換えジェスチャに対し、ｘ方向パターンおよびｙ方向パターンの組を対応付けたテンプレート情報が記憶されている。状態設定部４４は、記憶部５６に記憶されたテンプレート情報を参照し、動きフレームデータから求められたｘ方向変位の時間波形およびｙ方向変位の時間波形の組と、テンプレート情報におけるｘ方向パターンおよびｙ方向パターンの各組との近似度を求める。
【０１７５】
近似度は複数の波形が似ている程度を示す値であり、例えば、ｘ方向変位の時間波形とｘ方向パターンとの相関値、およびｙ方向変位の時間波形とｙ方向パターンとの相関値を加算した総合相関値として定義される。近似度が所定条件を満たす場合として、例えば、総合相関値が所定の閾値以上となる場合がある。
【０１７６】
状態設定部４４は、テンプレート情報において切り換えジェスチャに対応付けられたｘ方向パターンおよびｙ方向パターンの組と、動きフレームデータから求められたｘ方向変位の時間波形およびｙ方向変位の時間波形の組との近似度とが所定条件を満たす場合に、その所定条件が満たされた切り換えジェスチャを認識する。
【０１７７】
状態切り換え処理において、非接触判定がされたか否かの判定に代えて、切り換えジェスチャが生じたか否かの判定を行うことで、超音波診断装置では、次のような処理が実行される。すなわち、各静止判定時においてジェスチャ受付期間が設定され、ジェスチャ受付期間内に、切り換えジェスチャが認識された場合には、超音波診断装置がソフトフリーズオン状態に設定される。
【０１７８】
また、タイムスタンプ式状態切り換え処理において、非接触判定がされたか否かの判定に代えて、切り換えジェスチャが生じたか否かの判定を行うことで、超音波診断装置では、次のような処理が実行される。すなわち、静止判定がされるごとにタイムスタンプが記憶され、切り換えジェスチャが認識されたときは、切り換えジェスチャが認識された時から遡及時間だけ遡った遡及受付期間内に静止判定がされたか否かが判定される。そして、遡及受付期間内に静止判定がされていた場合には、超音波診断装置がソフトフリーズオン状態に設定される。
【０１７９】
切り換えジェスチャを、探触子が被検体に接触した状態における動きとすることで、探触子の離脱動作を検出する場合と比べて、状態切り換えのために要される探触子の動きが小さくなる。例えば、被検体の周囲に障害物がある場合でも、探触子の動きに基づいた状態の切り換えが容易となる。
【０１８０】
超音波診断装置では、複数種の切り換えジェスチャが定められてもよい。そして、超音波診断装置に設けられたキーボード、トラックボール、マウス等の操作デバイスの操作によって、複数種の切り換えジェスチャのうち１つが選択される構成としてもよい。この場合、複数種の切り換えジェスチャのそれぞれについて、記憶部５６にテンプレート情報が記憶される。状態設定部４４は操作デバイスの操作に基づいて、複数種のテープレート情報のうち選択された切り換えジェスチャに対応するテンプレート情報を参照する。複数種の切り換えジェスチャとしては、ｘ軸方向への振動、ｙ軸方向への振動、ｘｙ両軸方向への振動、ｘｙ平面内での回転、ｘ軸方向への所定距離の移動等がある。
【０１８１】
なお、各切り換えジェスチャの認識は、ソフトフリーズオン状態に実行されてもよい。すなわち、ソフトフリーズオン状態で非接触判定がされたことに基づく処理に代えて、ソフトフリーズオン状態で切り換えジェスチャが認識されたことに基づく処理が実行されてもよい。
【０１８２】
（１１）その他の変形例
上記では、動き検出部３０が、整相加算部２２から出力されるフレームデータに基づいて、探触子１４の動きに関する情報を生成し、装置制御部２８に出力する実施形態について説明した。動き検出部３０は、受信された超音波に基づいて超音波診断装置内で生成されるその他の受信信号に基づく処理を実行してもよい。例えば、整相加算部２２から出力されるフレームデータに代えて、超音波画像生成部２４から出力される断層画像データ、あるいはＤＳＣ２６から出力されるビデオ信号が、動き検出部３０で用いられてもよい。
【０１８３】
上記では、静止判定部３８が、フレーム間相関値に基づいて、探触子１４が静止しているか否かを判定する実施形態について説明した。静止判定部３８は、動きフレーム生成部３４から出力される動きフレームに基づいて、この判定を行ってもよい。この場合、静止判定部３８は、各動きフレームから観測面上の各点における変位ベクトルを取得する。静止判定部３８は、観測面上の各点の変位ベクトルの絶対値またはその自乗を加算合計した動き評価値を求める。静止判定部３８は、動きフレーム生成部３４から時間経過と共に順次出力される動きフレームのそれぞれについて動き評価値を求め、動き評価値が所定の閾値未満となったときに、探触子１４が静止した旨の静止判定をする。静止判定部３８が静止判定をするに際しては、動き評価値が所定の閾値未満となった時間が所定の閾値時間以上となったことを静止判定を肯定する条件としてもよい。
【０１８４】
なお、動き評価値は、観測面上の各点の変位ベクトルを反映したその他の統計値であってもよい。例えば、動き評価値は、変位ベクトルの特定方向の成分のみについて求められてもよい。また、変位ベクトルのｘ軸方向成分の絶対値またはその自乗を加算合計した値に基づいて動き評価値が求められてもよい。さらに、動き評価値は、観測面上に予め定められた関心領域について求められてもよい。
【０１８５】
上記では、超音波画像生成部２４が、被検体１８の観測面における断層画像データを生成する例について説明した。超音波画像生成部２４は、被検体１８の観測面の弾性の分布を表す弾性画像データを生成してもよい。この場合、超音波画像生成部２４が、弾性画像を断層画像に重ねた画像を表す断層・弾性画像データを生成し、表示部５２に断層・弾性画像が表示されてもよい。
【符号の説明】
【０１８６】
１０  送受信制御部、１２  送信部、１４  探触子、１６  振動素子、１８  被検体、２０  受信部、２２  整相加算部、２４  超音波画像生成部、２６  ディジタルスキャンコンバータ（ＤＳＣ）、２８  装置制御部、３０  動き検出部、３２  バッファメモリ、３４  動きフレーム生成部、３６  フレーム間相関演算部、３８ 静止判定部、４２  接触判定部、４４  状態設定部、４５  期間設定部、４８  表示処理部、５０  指令生成部、５２  表示部、５４  シネメモリ、５６  記憶部、６４  フリーズ画像、６８  シネメモリバー、７０  ボタン、７２  カーソル、７４  第１領域、７６  第２領域。
【図１】
2017006691.tif 000003
【図２】
2017006691.tif 000004
【図３】
2017006691.tif 000005
【図４】
2017006691.tif 000006
【図５】
2017006691.tif 000007
【図６】
2017006691.tif 000008
【図７】
2017006691.tif 000009
【図８Ａ】
2017006691.tif 000010
【図８Ｂ】
2017006691.tif 000011
【図８Ｃ】
2017006691.tif 000012
【図９】
2017006691.tif 000013
【図１０Ａ】
2017006691.tif 000014
【図１０Ｂ】
2017006691.tif 000015
【図１０Ｃ】
2017006691.tif 000016
【図１１】
2017006691.tif 000017
【図１２】
2017006691.tif 000018
【図１３】
2017006691.tif 000019
【国際調査報告】
2017006691.tif 000020
2017006691.tif 000021